(57)【特許請求の範囲】
【請求項１】
被写体を撮像して画像データを生成する撮像部と、
外部の通信機器から操作指示に関する操作指示情報を受信する第１通信部と、
ユーザ操作を認識するユーザ操作認識部と、
撮影操作に従って前記撮像部にて生成された前記画像データに、当該撮影操作の前に前記第１通信部が受信した前記操作指示情報、及び当該撮影操作の前に前記ユーザ操作認識部にて認識された前記ユーザ操作に関するユーザ操作情報を時系列的に並べた履歴情報を、前記ユーザ操作を実行したユーザ若しくは前記通信機器の操作者のいずれかの撮影の責任の所在を示す所在情報として関連付けて記録部に記録する撮像制御部とを備える
ことを特徴とする撮像装置。
【請求項２】
前記所在情報は、
撮影に至る通信結果の記録である
ことを特徴とする請求項１に記載の撮像装置。
【請求項３】
前記操作指示情報には、
前記第１通信部にて当該操作指示情報が受信された日時に関する受信日時情報が関連付けられ、
前記ユーザ操作情報には、
前記ユーザ操作認識部にて当該ユーザ操作が認識された日時に関する操作日時情報が関連付けられている
ことを特徴とする請求項１または２に記載の撮像装置。
【請求項４】
前記第１通信部は、
前記ユーザ操作認識部にて前記ユーザ操作が前記画像データの前記記録部への記録を許諾する記録許諾操作または当該記録を禁止する記録禁止操作であると認識された場合に、当該記録の許諾を示す記録許諾情報または当該記録の禁止を示す記録禁止情報を前記通信機器に送信し、
前記所在情報は、
前記記録許諾情報または前記記録禁止情報を含む
ことを特徴とする請求項１〜３のいずれか一つに記載の撮像装置。
【請求項５】
前記第１通信部は、
前記ユーザ操作認識部にて前記ユーザ操作が前記画像データの前記記録部への記録に関する責任を当該撮像装置のユーザが引き受ける責任引受操作または当該撮像装置のユーザが当該責任を放棄する責任放棄操作であると認識された場合に、当該責任の引き受けを示す第１責任引受情報または当該責任の放棄を示す第１責任放棄情報を前記通信機器に送信し、
前記所在情報は、
前記第１責任引受情報または前記第１責任放棄情報を含む
ことを特徴とする請求項１〜４のいずれか一つに記載の撮像装置。
【請求項６】
前記第１通信部は、
前記通信機器から当該通信機器のユーザが前記画像データの前記記録部への記録に関する責任を引き受けることを示す第２責任引受情報または当該責任を放棄することを示す第２責任放棄情報を受信し、
前記所在情報は、
前記第２責任引受情報または前記第２責任放棄情報を含む
ことを特徴とする請求項１〜５のいずれか一つに記載の撮像装置。
【請求項７】
請求項１〜６のいずれか一つに記載の撮像装置と、
前記撮像装置との間で情報を送受信可能に接続される通信機器とを備え、
前記通信機器は、
前記撮像装置への操作指示を受け付ける指示受付部と、
前記撮像装置に対して前記操作指示に関する操作指示情報を送信する第２通信部とを備える
ことを特徴とする撮像システム。
【請求項８】
前記撮像装置は、
前記撮像部にて生成された画像データに応じた画像を表示する第１表示部を備え、
前記第１通信部は、
前記撮像部にて生成された画像データを前記通信機器に送信し、
前記第２通信部は、
前記撮像装置から前記画像データを受信し、
前記通信機器は、
前記第２通信部が受信した前記画像データに対応する画像を表示し、前記撮像装置への操作指示の入力を促す第２表示部を備える
ことを特徴とする請求項７に記載の撮像システム。
【請求項９】
被写体を撮像する撮像装置が行う撮像方法において、
前記被写体を撮像して画像データを生成する撮像ステップと、
ユーザ操作を認識するユーザ操作認識ステップと、
撮影操作に従って前記撮像ステップにて生成した前記画像データに、当該撮影操作の前に外部の通信機器から受信した操作指示情報、及び当該撮影操作の前に前記ユーザ操作認識ステップにて認識した前記ユーザ操作に関するユーザ操作情報を時系列的に並べた履歴情報を、前記ユーザ操作を実行したユーザ若しくは前記通信機器の操作者のいずれかの撮影の責任の所在を示す所在情報として関連付けて記録部に記録する記録ステップとを含む
ことを特徴とする撮像方法。
【請求項１０】
請求項９に記載の撮像方法を撮像装置に実行させる
ことを特徴とする撮像プログラム。
【発明の詳細な説明】
【技術分野】
【０００１】
本発明は、被写体を撮像する撮像装置、当該撮像装置を備えた撮像システム、当該撮像装置が行う撮像方法、及び当該撮像装置に実行させる撮像プログラムに関する。
【背景技術】
【０００２】
近年、デジタルカメラやデジタルビデオカメラ等の撮像装置において、撮像により生成した画像データに対応するライブビュー画像を表示部に表示するとともに、通信技術を用いて、当該画像データを携帯電話等の外部の通信機器に順次、送信する技術が知られている（例えば、特許文献１参照）。
特許文献１に記載の技術は、通信技術を用いて、通信機器のユーザが撮像装置のユーザに対して操作指示（静止画撮影を行う撮影指示や画角を変更する画角変更指示等）を与える技術である。
具体的に、特許文献１に記載の技術では、通信機器は、撮像装置から送信された画像データを順次、受信し、当該画像データに対応するライブビュー画像を表示部に順次、表示する。通信機器のユーザは、通信機器の表示部に表示されたライブビュー画像を確認し、例えば、撮像装置に静止画撮影を行わせたい場合や、撮像装置にて撮像される画角を変更させたい場合に、通信機器に対して所定の操作を実行する。この操作により通信機器から操作指示が撮像装置に送信され、撮像装置は、当該操作指示を受信した後、当該操作指示に対応する情報を表示部に表示する。そして、撮像装置のユーザは、当該撮像装置の表示部に表示された情報を確認し、操作指示に応じた操作を行うか否かを判断する。
【先行技術文献】
【特許文献】
【０００３】
【特許文献１】特開２００６−１４１１９号公報
【発明の概要】
【発明が解決しようとする課題】
【０００４】
しかしながら、特許文献１に記載の技術では、撮像装置のユーザは、静止画撮影により記録部に記録された画像データを後日、確認する際、当該画像データが外部の通信機器からの操作指示に応じて記録されたものか、あるいは、外部の通信機器からの操作指示によらず当該ユーザの意志に応じた操作により記録されたものかを判別することが難しい。
すなわち、特許文献１に記載の技術では、画像データの記録に関する責任の所在を明確にすることが難しい、という問題がある。
【０００５】
本発明は、上記に鑑みてなされたものであって、画像データの記録に関する責任の所在を明確にすることができる撮像装置、撮像システム、撮像方法、及び撮像プログラムを提供することを目的とする。
【課題を解決するための手段】
【０００６】
上述した課題を解決し、目的を達成するために、本発明に係る撮像装置は、被写体を撮像して画像データを生成する撮像部と、外部の通信機器から操作指示に関する操作指示情報を受信する第１通信部と、ユーザ操作を認識するユーザ操作認識部と、撮影操作に従って前記撮像部にて生成された前記画像データに、当該撮影操作の前に前記第１通信部が受信した前記操作指示情報、及び当該撮影操作の前に前記ユーザ操作認識部にて認識された前記ユーザ操作に関するユーザ操作情報のうち少なくともいずれか一方の情報を撮影の責任の所在を示す所在情報として関連付けて記録部に記録する撮像制御部とを備えることを特徴とする。
【０００７】
また、本発明に係る撮像システムは、上述した撮像装置と、前記撮像装置との間で情報を送受信可能に接続される通信機器とを備え、前記通信機器は、前記撮像装置への操作指示を受け付ける指示受付部と、前記撮像装置に対して前記操作指示に関する操作指示情報を送信する第２通信部とを備えることを特徴とする。
【０００８】
また、本発明に係る撮像方法は、被写体を撮像する撮像装置が行う撮像方法において、被写体を撮像する撮像装置が行う撮像方法において、前記被写体を撮像して画像データを生成する撮像ステップと、ユーザ操作を認識するユーザ操作認識ステップと、撮影操作に従って前記撮像ステップにて生成した前記画像データに、当該撮影操作の前に外部の通信機器から受信した操作指示情報、及び当該撮影操作の前に前記ユーザ操作認識部にて認識した前記ユーザ操作に関するユーザ操作情報のうち少なくともいずれか一方の情報を撮影の責任の所在を示す所在情報として関連付けて記録部に記録する記録ステップとを含むことを特徴とする。
【０００９】
また、本発明に係る撮像プログラムは、上述した撮像方法を撮像装置に実行させることを特徴とする。
【発明の効果】
【００１０】
本発明に係る撮像装置は、撮影操作に従って撮像部にて生成した画像データに、当該撮影操作の前に外部の通信機器から受信した操作指示情報、及び当該撮影操作の前に認識したユーザ操作に関するユーザ操作情報のうち少なくともいずれか一方の情報を撮影の責任の所在を示す所在情報として関連付けて記録部に記録する。
このため、撮像装置のユーザは、記録部に記録された画像データを確認する際、当該画像データに関連付けられた操作指示情報及びユーザ操作情報のうち少なくともいずれか一方の情報を認識することができる。すなわち、撮像装置のユーザは、当該画像データが外部の通信機器からの操作指示に応じて記録されたものか、あるいは、外部の通信機器からの操作指示によらず当該ユーザの意志に応じた操作により記録されたものかを判別することができる。
したがって、本発明に係る撮像装置によれば、画像データの記録に関する責任の所在を明確にすることができる、という効果を奏する。
【００１１】
本発明に係る撮像システムは、上述した撮像装置を備えるため、上述した撮像装置と同様の効果を奏する。
本発明に係る撮像方法は、上述した撮像装置が行う撮像方法であるため、上述した撮像装置と同様の効果を奏する。
本発明に係る撮像プログラムは、上述した撮像装置にて実行されるプログラムであるため、上述した撮像装置と同様の効果を奏する。
【図面の簡単な説明】
【００１２】
【図１】図１は、本発明の実施の形態１に係る撮像システムの構成を示すブロック図である。
【図２】図２は、図１に示した撮像装置の動作を示すフローチャートである。
【図３】図３は、図１に示した通信機器の動作を示すフローチャートである。
【図４】図４は、図２及び図３に示した撮像システムの動作時に通信機器のユーザが行う操作指示を説明するための図である。
【図５】図５は、図２及び図３に示した撮像システムの動作時に通信機器のユーザが行う自動撮影指示（操作指示）の一例を示す図である。
【図６】図６は、図５（ｄ）に示した自動撮影指示により、撮像装置にて生成される画像ファイルの一例を示す図である。
【図７】図７は、図２及び図３に示した撮像システムの動作時に通信機器のユーザが行う撮影予約指示（操作指示）の一例を示す図である。
【図８】図８は、図７（ｆ）に示した撮影予約指示により、撮像装置にて生成される画像ファイルの一例を示す図である。
【図９】図９は、通信機器のユーザにより図５（ｄ）に示した自動撮影指示や図７（ｆ）に示した撮影予約指示が行われることなく、撮像装置のユーザの意志により撮影が行われた場合に撮像装置にて生成される画像ファイルの一例を示す図である。
【図１０】図１０は、本発明の実施の形態２に係る撮像装置のユーザに面する側の構成を示す斜視図である。
【図１１】図１１は、図１０に示した撮像装置の構成を示すブロック図である。
【図１２】図１２は、図１０及び図１１に示した撮像装置の動作を示すフローチャートである。
【図１３Ａ】図１３Ａは、図５（ｄ）に示した自動撮影指示により、図１０及び図１１に示した撮像装置にて生成される画像ファイルの一例を示す図である。
【図１３Ｂ】図１３Ｂは、図７（ｆ）に示した撮影予約指示により、図１０及び図１１に示した撮像装置にて生成される画像ファイルの一例を示す図である。
【図１３Ｃ】図１３Ｃは、通信機器のユーザにより図５（ｄ）に示した自動撮影指示や図７（ｆ）に示した撮影予約指示が行われることなく、図１０及び図１１に示した撮像装置のユーザの意志により撮影が行われた場合に当該撮像装置にて生成される画像ファイルの一例を示す図である。
【図１４】図１４は、本発明の実施の形態３に係る撮像システムの構成を示すブロック図である。
【図１５】図１５は、図１４に示した撮像装置の動作を示すフローチャートである。
【図１６Ａ】図１６Ａは、図５（ｄ）に示した自動撮影指示により、図１４に示した撮像装置にて生成される画像ファイルの一例を示す図である。
【図１６Ｂ】図１６Ｂは、図７（ｆ）に示した撮影予約指示により、図１４に示した撮像装置にて生成される画像ファイルの一例を示す図である。
【図１６Ｃ】図１６Ｃは、通信機器のユーザにより図５（ｄ）に示した自動撮影指示や図７（ｆ）に示した撮影予約指示が行われることなく、図１４に示した撮像装置のユーザの意志により撮影が行われた場合に当該撮像装置にて生成される画像ファイルの一例を示す図である。
【図１７】図１７は、図１５に示した撮像システムの動作時に通信機器のユーザが行う特定位置撮影指示（操作指示）の一例を示す図である。
【図１８】図１８は、図１７に示した特定位置撮影指示により、図１４に示した撮像装置にて生成される画像ファイルの一例を示す図である。
【発明を実施するための形態】
【００１３】
以下に、図面を参照して、本発明を実施するための形態（以下、実施の形態）について説明する。なお、以下に説明する実施の形態によって本発明が限定されるものではない。さらに、図面の記載において、同一の部分には同一の符号を付している。
【００１４】
（実施の形態１）
〔撮像システムの概略構成〕
図１は、本発明の実施の形態１に係る撮像システム１の構成を示すブロック図である。
撮像システム１は、互いに異なるユーザによりそれぞれ操作され、無線通信により互いに情報の送受信を可能に接続する撮像装置２（図１）及び通信機器３（図１）を備える。
なお、撮像システム１としては、無線通信に限られず、有線通信により互いに情報の送受信を可能に撮像装置２及び通信機器３を接続した構成としても構わない。
そして、撮像システム１は、通信機器３のユーザが通信機器３に操作指示を入力することにより、通信機器３のユーザから離れた場所にある撮像装置２を自動的に動作させる、あるいは、当該撮像装置２のユーザに対して撮像装置２を介して当該操作指示を認識させ、当該操作指示に応じた撮像装置２への操作を促すシステムである。
すなわち、本実施の形態１において、通信機器３のユーザが行う上記操作指示とは、撮像装置２に対する操作指示、及び撮像装置２のユーザに対する操作指示の双方を含むものである。
【００１５】
〔撮像装置の構成〕
撮像装置２は、被写体を撮像する装置であり、例えば、デジタルカメラ、デジタルビデオカメラ、撮影機能を有する携帯電話やタブレット型携帯機器等の電子機器、内視鏡、または、顕微鏡等として構成される。
なお、以下では、撮像装置２の構成として、本発明の要部を主に説明する。
この撮像装置２は、図１に示すように、撮像部２１と、第１表示部２２と、第１入力部２３と、第１通信部２４と、第１メモリ部２５と、第１記録部２６と、画像データ記録部２７と、第１制御部２８等を備える。
【００１６】
撮像部２１は、第１制御部２８による制御の下、被写体を撮像して画像データを生成する。この撮像部２１は、受光した光を電気信号に変換するＣＣＤ（Ｃｈａｒｇｅ  Ｃｏｕｐｌｅｄ  Ｄｅｖｉｃｅ）等の撮像素子、当該撮像素子からの電気信号（アナログ信号）に対して信号処理（Ａ／Ｄ変換等）を行うことによりデジタルの画像データを生成する信号処理部等を用いて構成される。
そして、撮像部２１にて生成された画像データは、第１制御部２８による制御の下、順次、第１メモリ部２５に記憶されるとともに、外部からの自動撮影指示や撮像装置２のユーザによる第１入力部２３への撮影操作に応じて画像データ記録部２７に記録される。
ここで、自動撮影指示は、撮像装置２に対する操作指示であって、撮像装置２のユーザの意志によらずに撮像装置２に自動的に撮影動作を行わせる操作指示である。
【００１７】
第１表示部２２は、液晶または有機ＥＬ（Ｅｌｅｃｔｒｏ  Ｌｕｍｉｎｅｓｃｅｎｃｅ）等からなる表示パネルを用いて構成されている。
例えば、第１表示部２２は、第１制御部２８による制御の下、撮像部２１が連続的に生成し第１メモリ部２５に順次、記憶される画像データ（以下、ライブビュー画像データと記載）に対応するライブビュー画像を順次、表示（ライブビュー表示）する。また、第１表示部２２は、第１制御部２８による制御の下、画像データ記録部２７に記録された画像ファイルに対応する画像を表示する。さらに、第１表示部２２は、第１制御部２８による制御の下、ライブビュー画像に対して第１通信部２４が受信した操作指示情報に応じた画像が重畳された画像を表示する。
【００１８】
第１入力部２３は、ユーザ操作を受け付けるボタンやスイッチ等を用いて構成され、当該ユーザ操作に応じた指示信号を第１制御部２８に出力する。
第１通信部２４は、第１制御部２８による制御の下、通信機器３との間でライブビュー画像データや通信に必要な信号を含む各種データの無線通信を所定のプロトコルに従って行う。
第１メモリ部２５は、撮像部２１にて生成された画像データ、通信機器３から第１通信部２４を介して受信した操作指示情報、及び第１制御部２８にて認識されたユーザ操作に関するユーザ操作情報等を記憶する。
第１記録部２６は、第１制御部２８が実行する各種プログラム（撮像プログラムを含む）、及びプログラムの実行中に使用される各種データ等を記録する。
画像データ記録部２７は、本発明に係る記録部としての機能を有し、第１制御部２８による制御の下、撮像部２１にて生成された画像データや、当該画像データに後述する判定結果情報が関連付けられた画像ファイルを記録する。
【００１９】
第１制御部２８は、ＣＰＵ（Ｃｅｎｔｒａｌ  Ｐｒｏｃｅｓｓｉｎｇ  Ｕｎｉｔ）等を用いて構成され、第１入力部２３からの指示信号や第１通信部２４が受信した操作指示情報等に応じて撮像装置２を構成する各部に対応する指示やデータの転送等を行って撮像装置２の動作を統括的に制御する。
この第１制御部２８は、図１に示すように、第１通信制御部２８１と、第１表示制御部２８２と、ユーザ操作認識部２８３と、記録判定部２８４と、撮像制御部２８５等を備える。
第１通信制御部２８１は、第１通信部２４の動作を制御し、通信機器３との間で無線通信を行わせる。
例えば、第１通信制御部２８１は、第１通信部２４を介して、撮像部２１が連続的に生成し第１メモリ部２５に順次、記憶されたライブビュー画像データを順次、通信機器３に送信させる。
【００２０】
第１表示制御部２８２は、第１表示部２２の動作を制御し、第１表示部２２に画像を表示させる。
例えば、第１表示制御部２８２は、第１メモリ部２５に記憶されたライブビュー画像データを読み出し、第１表示部２２にライブビュー表示を実行させる。また、第１表示制御部２８２は、画像データ記録部２７に記憶された画像ファイルを読み出し、第１表示部２２に当該画像ファイルに応じた画像を表示させる。さらに、第１表示制御部２８２は、ライブビュー画像に対して第１通信部２４が受信した操作指示情報に応じた画像を重畳し、当該重畳した画像を第１表示部２２に表示させる。
ユーザ操作認識部２８３は、撮像装置２のユーザによる撮像装置２への操作（ユーザ操作）を認識する。そして、ユーザ操作認識部２８３にて認識されたユーザ操作に関するユーザ操作情報は、第１メモリ部２５に記憶される。
【００２１】
記録判定部２８４は、第１メモリ部２５に記憶された操作指示情報及びユーザ操作情報のうち少なくともいずれか一方の情報に基づいて、画像データが画像データ記録部２７に記録される際に、当該画像データが外部からの操作指示（操作指示情報に基づく操作指示）に応じて記録されるものであるか否かを判定する。
具体的に、記録判定部２８４は、操作指示情報に基づく操作指示が自動撮影指示である場合には、当該操作指示情報のみに基づいて、上述した判定を行う。
また、記録判定部２８４は、操作指示情報に基づく操作指示が自動撮影指示以外の操作指示（例えば、撮影予約指示）である場合には、当該操作指示情報、及びユーザ操作情報の双方に基づいて、上述した判定を行う。
ここで、撮影予約指示は、撮像装置２のユーザに対する操作指示であって、撮影操作以外の操作を行った後、撮影操作を行う操作指示である。
さらに、記録判定部２８４は、第１通信部２４が操作指示情報を受信していない場合には、ユーザ操作情報のみに基づいて、上述した判定を行う。
そして、記録判定部２８４は、上述した判定結果に関する判定結果情報を生成する。
【００２２】
撮像制御部２８５は、第１入力部２３からの指示信号（撮像装置２のユーザによる第１入力部２３への撮影操作）や第１通信部２４が受信した操作指示情報（自動撮影指示）に応じて、画像ファイルを生成し、当該画像ファイルを画像データ記録部２７に記録する。
ここで、当該画像ファイルは、撮像部２１にて生成された画像データに、記録判定部２８４にて生成された判定結果情報が関連付けられたファイルである。
【００２３】
〔通信機器の構成〕
通信機器３は、撮像装置２と無線通信を行う機器であり、例えば、デジタルカメラ、デジタルビデオカメラ、または携帯電話やタブレット型携帯機器等として構成される。
なお、以下では、通信機器３の構成として、本発明の要部を主に説明する。
この通信機器３は、図１に示すように、第２表示部３１と、第２入力部３２と、第２通信部３３と、第２メモリ部３４と、第２記録部３５と、第２制御部３６等を備える。
【００２４】
第２表示部３１は、液晶または有機ＥＬ等からなる表示パネルを用いて構成され、第２制御部３６による制御の下、画像を表示する。
第２入力部３２は、ボタン、スイッチ、タッチパネル、マイクロフォン等を用いて構成されている。
すなわち、第２入力部（ボタン、スイッチ、タッチパネル）３２は、通信機器３のユーザによるユーザ操作を受け付け、当該ユーザ操作に応じた指示信号を第２制御部３６に出力する。また、第２入力部（マイクロフォン等）３２は、通信機器３のユーザが発した言葉（音声）を入力して電気信号に変換し、変換した電気信号に標本化及び量子化を施してＡ／Ｄ変換を行うことによって音声データを生成し、当該音声データを第２制御部３６に出力する。
そして、第２入力部３２は、本発明に係る指示受付部としての機能を有する。
【００２５】
第２通信部３３は、第２制御部３６による制御の下、撮像装置２との間でライブビュー画像データや通信に必要な信号を含む各種データの無線通信を所定のプロトコルに従って行う。
第２メモリ部３４は、撮像装置２から送信され第２通信部３３を介して受信したライブビュー画像データ等を記憶する。
第２記録部３５は、第２制御部３６が実行する各種プログラム、及びプログラムの実行中に使用される各種データ等を記録する。
【００２６】
第２制御部３６は、ＣＰＵ等を用いて構成され、第２入力部３２からの指示信号や音声データ等に応じて通信機器３を構成する各部に対応する指示やデータの転送等を行って通信機器３の動作を統括的に制御する。
第２通信制御部３６１は、第２通信部３３の動作を制御し、撮像装置２との間で無線通信を行わせる。
例えば、第２通信制御部３６１は、第２通信部３３を介して、操作指示情報生成部３６３にて生成された操作指示情報を撮像装置２に送信させる。
【００２７】
第２表示制御部３６２は、第２表示部３１に所定の画像（例えば、第２通信部３３が受信したライブビュー画像データに対応するライブビュー画像）を表示させる。
操作指示情報生成部３６３は、第２入力部３２からの指示信号や音声データに基づいて、撮像装置２や当該撮像装置２のユーザに対する操作指示に関する操作指示情報を生成する。
【００２８】
〔撮像システムの動作〕
次に、上述した撮像システム１の動作について説明する。
以下では、撮像システム１の動作として、撮像装置２の動作（本発明に係る撮像方法）、及び通信機器３の動作を順に説明する。
【００２９】
〔撮像装置の動作〕
図２は、撮像装置２の動作を示すフローチャートである。
撮像装置２のユーザによる第１入力部２３への操作によって撮像装置２の電源がオンになる（ステップＳ１０１：Ｙｅｓ）と、第１制御部２８は、撮像部２１に撮像を開始させる（ステップＳ１０２：撮像ステップ）。そして、撮像部２１にて生成された画像データは、順次、第１メモリ部２５に記憶される。
続いて、第１表示制御部２８２は、第１表示部２２にライブビュー表示を開始させる（ステップＳ１０３）。
また、第１通信制御部２８１は、第１通信部２４を介して、第１メモリ部２５に記憶された最新のライブビュー画像データ（ステップＳ１０３にて第１表示部２２に表示されているライブビュー画像と同一の画像データ）を順次、通信機器３に送信させる（ステップＳ１０４）。
なお、図２では、説明の便宜上、ステップＳ１０４がステップＳ１０３の後に実行される順序で図示しているが、実際にはステップＳ１０３，Ｓ１０４は略同時に実行されるものである。
【００３０】
ここで、撮影時に発生する著作権や、肖像権、撮影禁止区域における撮影等、この責任の所在を明確にすることは、本実施の形態１のような撮像システム１を利用した遠隔カメラ撮影において、重要な考慮すべき課題である。そして、上記のような責任の所在に関するトラブルを未然に防止するために、撮像装置２の使用状態を示すＧＰＳ（Ｇｌｏｂａｌ  Ｐｏｓｉｔｉｏｎｉｎｇ  Ｓｙｓｔｅｍ）情報等の位置情報や、気圧や傾き判定による撮像装置２の高さや傾き等の姿勢の情報をライブビュー画像データとともにステップＳ１０４で送信するように構成してもよく、あるいは、撮像装置２のユーザ（撮像装置２の保持者または保有者）が撮像装置２に操作（本発明に係る記録許諾操作または記録禁止操作に相当）を行うことで、外部撮影禁止または許諾等の信号（本発明に係る記録禁止情報または記録許諾情報に相当）をライブビュー画像データとともにステップＳ１０４で送信するように構成してもよい。このような信号（外部撮影禁止または許諾等の信号）を送信した場合には、後述するステップＳ１１０やステップＳ１１８において、画像データに、外部撮影禁止を示す外部撮影禁止情報（本発明に係る記録禁止情報に相当）または外部撮影許諾を示す外部撮影許諾情報（本発明に係る記録許諾情報に相当）を関連付けて記録してもよい。さらに、撮像装置２のユーザが撮像装置２に操作（本発明に係る責任引受操作または責任放棄操作に相当）を行うことで、撮像装置２のユーザが当該撮像装置２による撮影（画像データの記録）の責任を引き受けることを示す第１責任引受情報や責任を放棄することを示す第１責任放棄情報をライブビュー画像データとともにステップＳ１０４で送信するように構成してもよい。このような第１責任引受情報または第１責任放棄情報を送信した場合には、後述するステップＳ１１０やステップＳ１１８において、画像データに、第１責任引受情報または第１責任放棄情報を関連付けて記録してもよい。なお、ステップＳ１０４で送信する情報としては、勿論、撮影パラメータ等の撮像装置２の様々な設定に関する情報も送信可能とする。
【００３１】
続いて、第１通信制御部２８１は、通信機器３から第１通信部２４を介して操作指示情報を受信したか否かを判断する（ステップＳ１０５）。
操作指示情報を受信していないと判断された場合（ステップＳ１０５：Ｎｏ）には、撮像装置２は、ステップＳ１１２に移行する。
一方、操作指示情報を受信したと判断された場合（ステップＳ１０５：Ｙｅｓ）には、第１制御部２８は、当該操作指示情報を第１メモリ部２５に記憶する（ステップＳ１０６）。
【００３２】
続いて、撮像制御部２８５は、第１通信部２４が受信した操作指示情報に基づく操作指示が自動撮影指示であるか否かを判断する（ステップＳ１０７）。
自動撮影指示であると判断した場合（ステップＳ１０７：Ｙｅｓ）には、撮像制御部２８５は、第１メモリ部２５に記憶された最新のライブビュー画像データ（現在、第１表示部２２に表示されているライブビュー画像に対応する画像データ）を、画像データ記録部２７に記録予定の画像データ（以下、記録予定画像データと記載）として、第１メモリ部２５に仮記録する（ステップＳ１０８）。
【００３３】
続いて、記録判定部２８４は、第１メモリ部２５に記憶された操作指示情報（自動撮影指示）に基づいて、記録予定画像データが外部からの操作指示に応じて記録されるものであるか否かを判定し、当該判定結果に関する判定結果情報を生成する（ステップＳ１０９：判定ステップ）。
ここで、操作指示情報に基づく操作指示が自動撮影指示である場合には、記録判定部２８４は、外部依頼による撮影であることを示す判定結果情報を生成する。
続いて、撮像制御部２８５は、ステップＳ１０８にて第１メモリ部２５に仮記録した記録予定画像データを読み出し、当該記録予定画像データに対して、ステップＳ１０９にて生成された判定結果情報を関連付けた画像ファイルを生成する。そして、撮像制御部２８５は、当該画像ファイルを画像データ記録部２７に記録する（ステップＳ１１０：記録ステップ）。この後、撮像装置２は、ステップＳ１０１に戻る。
【００３４】
ステップＳ１０７に戻って、自動撮影指示ではないと判断された場合（ステップＳ１０７：Ｎｏ）には、第１表示制御部２８２は、第１メモリ部２５に記憶された最新のライブビュー画像データに対応するライブビュー画像（現在、第１表示部２２に表示されているライブビュー画像）に対して、ステップＳ１０６にて第１メモリ部２５に記憶した操作指示情報に応じた画像を重畳し、当該重畳した画像を一定期間、第１表示部２２に表示させる（ステップＳ１１１）。
【００３５】
ステップＳ１１１の後、または、操作指示情報を受信していないと判断された場合（ステップＳ１０５：Ｎｏ）、ユーザ操作認識部２８３は、撮像装置２のユーザによる撮像装置２への操作（ユーザ操作）があったか否かを判断する（ステップＳ１１２）。
ここで、当該ユーザ操作は、第１入力部２３への操作や、撮像装置２自体を移動させる操作を含む。
そして、ユーザ操作認識部２８３は、第１入力部２３への操作については、第１入力部２３からの指示信号に基づいて判断する。また、ユーザ操作認識部２８３は、撮像装置２自体を移動させる操作については、第１メモリ部２５に記憶された時系列的に前後の各ライブビュー画像データを比較し、当該各ライブビュー画像データに含まれる各被写体像の位置の変化を認識することで判断する。
なお、撮像装置２の動きを検出する加速度センサ等を別途、撮像装置２に設け、加速度センサからの検出信号に基づいて、撮像装置２自体を移動させる操作を認識するように構成しても構わない。
また、当該ユーザ操作として、上述した外部撮影許諾を示す操作（本発明に係る記録許諾操作に相当）や外部撮影禁止を示す操作（本発明に係る記録禁止操作に相当）等を含めてもよい。さらに、当該ユーザ操作として、上述した撮像装置２のユーザが撮影の責任を引き受けることを示す責任引受操作や責任を放棄することを示す責任放棄操作等を含めてもよい。
【００３６】
ユーザ操作がないと判断された場合（ステップＳ１１２：Ｎｏ）には、撮像装置２は、ステップＳ１０１に戻る。
一方、ユーザ操作があったと判断した場合（ステップＳ１１２：Ｙｅｓ）には、ユーザ操作認識部２８３は、当該ユーザ操作の内容を認識し（ステップＳ１１３：ユーザ操作認識ステップ）、当該ユーザ操作に関するユーザ操作情報を第１メモリ部２５に記憶する（ステップＳ１１４）。
【００３７】
続いて、ユーザ操作認識部２８３は、ステップＳ１１３にて認識したユーザ操作の内容が撮影操作であるか否かを判断する（ステップＳ１１５）。
撮影操作ではないと判断された場合（ステップＳ１１５：Ｎｏ）には、撮像装置２は、ステップＳ１０１に戻る。
一方、撮影操作であると判断された場合（ステップＳ１１５：Ｙｅｓ）には、撮像制御部２８５は、第１メモリ部２５に記憶された最新のライブビュー画像データを記録予定画像データとして、第１メモリ部２５に仮記録する（ステップＳ１１６）。
【００３８】
続いて、記録判定部２８４は、第１メモリ部２５に記憶された操作指示情報及びユーザ操作情報のうち少なくともいずれか一方の情報に基づいて、記録予定画像データが外部からの操作指示に応じて記録されるものであるか否かを判定し、当該判定結果に関する判定結果情報を生成する（ステップＳ１１７：判定ステップ）。
続いて、撮像制御部２８５は、ステップＳ１１６にて第１メモリ部２５に仮記録した記録予定画像データを読み出し、当該記録予定画像データに対して、ステップＳ１１７にて生成された判定結果情報を関連付けた画像ファイルを生成する。そして、撮像制御部２８５は、当該画像ファイルを画像データ記録部２７に記録する（ステップＳ１１８：記録ステップ）。この後、撮像装置２は、ステップＳ１０１に戻る。
【００３９】
〔通信機器の動作〕
図３は、通信機器３の動作を示すフローチャートである。
通信機器３のユーザによる第２入力部３２への操作によって通信機器３の電源がオンになる（ステップＳ２０１：Ｙｅｓ）と、第２通信制御部３６１は、撮像装置２から第２通信部３３を介してライブビュー画像データを受信したか否かを判断する（ステップＳ２０２）。
ライブビュー画像データを受信していないと判断された場合（ステップＳ２０２：Ｎｏ）には、通信機器３は、ステップＳ２０１に戻る。
【００４０】
一方、ライブビュー画像データを受信したと判断された場合（ステップＳ２０２：Ｙｅｓ）には、第２制御部３６は、受信したライブビュー画像データを順次、第２メモリ部３４に記憶させる。そして、第２表示制御部３６２は、第２メモリ部３４に記憶されたライブビュー画像データを順次、読み出し、第２表示部３１に当該ライブビュー画像データに対応するライブビュー画像を表示（ライブビュー表示）させる（ステップＳ２０３）。
ここで、通信機器３のユーザが、撮影禁止区域であること等を知らずに撮像装置２により撮影を行う（自動撮影指示等を行う）とトラブルの原因となる。このため、例えば、撮像装置２から送信された情報（ＧＰＳ情報等の位置情報、撮像装置２の高さや傾き等の姿勢（不自然なローアングル）の情報、外部撮影禁止の信号等）に基づいて、ステップＳ２０３で表示するライブビュー画像に撮像装置２による撮影が可能であるか否かの情報を表示してもよい。
【００４１】
続いて、操作指示情報生成部３６３は、第２入力部３２からの指示信号や音声データに基づいて、撮像装置２のユーザへの撮像装置２の操作指示があったか否かを判断する（ステップＳ２０４）。
操作指示がないと判断された場合（ステップＳ２０４：Ｎｏ）には、通信機器３は、ステップＳ２０１に戻る。
一方、操作指示があったと判断した場合（ステップＳ２０４：Ｙｅｓ）には、操作指示情報生成部３６３は、第２入力部３２からの指示信号や音声データに基づいて、操作指示に関する操作指示情報を生成する（ステップＳ２０５）。
ここで、上記操作指示としては、撮影パラメータの変更、パンニングやアングル、姿勢指示等を含んでもよい。また、いろいろな設定を解除するような指示でもよい。さらに、操作指示情報に、通信機器３のユーザがこれ以降の撮影には関与しないという第２責任放棄情報や、通信機器３のユーザが撮影装置２による撮影の責任を引き受けるという第２責任引受情報を含めてもよい。撮像装置２のユーザと通信機器３のユーザとが責任放棄をした場合に、撮像装置２は撮影不能としてもよい。また、両ユーザが責任を受け入れた場合のみ、撮影が可能になるような仕様でもよい。
続いて、第２通信制御部３６１は、第２通信部３３を介して、ステップＳ２０５にて生成された操作指示情報を撮像装置２に送信させる（ステップＳ２０６）。この後、通信機器３は、ステップＳ２０２に戻る。
ここで、上述した第２責任引受情報または第２責任放棄情報を含んだ操作指示情報を撮像装置２に送信した場合には、撮像装置２は、ライブビュー画像とともに、受信した第２責任引受情報または第２責任放棄情報に応じた画像（通信機器３のユーザが撮影の責任を引き受けたことを示す画像、または当該責任を放棄したことを示す画像）を表示するように構成してもよい。さらに、撮像装置２は、ステップＳ１１０やステップＳ１１８において、画像データに、受信した第２責任引受情報または第２責任放棄情報を関連付けて記録してもよい。
【００４２】
〔操作指示及び画像ファイルの具体例〕
以上説明した撮像システム１の動作時に通信機器３のユーザが行う操作指示や、撮像装置２が生成する画像ファイルの具体例について説明する。
以下では、操作指示が「自動撮影指示」の場合、操作指示が「撮影予約指示」の場合、「操作指示によらない撮像装置２のユーザの意志による撮影」の場合を順に説明する。
【００４３】
〔自動撮影指示〕
図４は、撮像システム１の動作時に通信機器３のユーザが行う操作指示を説明するための図である。図５は、撮像システム１の動作時に通信機器３のユーザが行う自動撮影指示（操作指示）の一例を示す図である。
具体的に、図４は、撮像装置２のユーザがいる場所の風景を示す図である。図５（ａ）及び図５（ｂ）は、撮像装置２に表示される画像の一例を示す図である。図５（ｃ）及び図５（ｄ）は、通信機器３に表示される画像の一例を示す図である。
例えば、撮像装置２におけるライブビュー表示（ステップＳ１０３）として、現在表示しているライブビュー画像を図５（ａ）に示したライブビュー画像Ｗ１００とする。
この場合、上述したように、撮像装置２は、ライブビュー表示（ステップＳ１０３）を行いながら、ステップＳ１０４にて現在表示しているライブビュー画像Ｗ１００に対応するライブビュー画像データを通信機器３に送信する。そして、通信機器３は、受信したライブビュー画像データに対応するライブビュー画像を順次、表示する（ステップＳ２０３）。このため、図５（ｃ）に示すように、通信機器３が表示するライブビュー画像Ｗ２００は、撮像装置２にて表示されているライブビュー画像Ｗ１００（図５（ａ））と略同一の画像となる。
【００４４】
ここで、通信機器３のユーザは、通信機器３に表示されたライブビュー画像Ｗ２００（図５（ｃ））を確認しながら、撮像装置２に即座に撮影を行わせたい場合には、図５（ｄ）に示すように、例えば、「ここで撮影して」という言葉を発する。
そして、通信機器３は、第２入力部３２からの音声データ（「ここで撮影して！」の音声に対応する音声データ）に基づいて、操作指示があったと判断する（ステップＳ２０４：Ｙｅｓ）。また、通信機器３は、当該音声データを解析して自動撮影指示に関する操作指示情報を生成し（ステップＳ２０５）、撮像装置２に送信する（ステップＳ２０６）。
【００４５】
一方、撮像装置２は、受信した操作指示情報に基づいて、操作指示が自動撮影指示であると判断する（ステップＳ１０７：Ｙｅｓ）。そして、撮像装置２は、操作指示情報を受信した時点で表示しているライブビュー画像Ｗ１０１（図５（ｂ））に対応するライブビュー画像データの仮記録（ステップＳ１０８）、判定（ステップＳ１０９）、及び画像ファイルの生成及び記録（ステップＳ１１０）を実行する。
【００４６】
図６は、図５（ｄ）に示した自動撮影指示により、撮像装置２にて生成される画像ファイルＦ１の一例を示す図である。
具体的に、ステップＳ１０９において、撮像装置２は、操作指示情報に基づく操作指示が自動撮影指示であるため、外部依頼による撮影（自動撮影指示による撮影）であることを示す判定結果情報ＩＤ１（図６）を生成する。そして、ステップＳ１１０において、撮像装置２は、図６に示すように、ライブビュー画像Ｗ１０１に対応するライブビュー画像データに対して判定結果情報ＩＤ１を関連付けた画像ファイルＦ１を生成及び記録する。
【００４７】
〔撮影予約指示〕
図７は、撮像システム１の動作時に通信機器３のユーザが行う撮影予約指示（操作指示）の一例を示す図である。
具体的に、図７は、図４及び図５に対応した図であり、撮像装置２に表示される画像の一例（図７（ａ）〜図７（ｄ））と、通信機器３に表示される画像の一例（図７（ｅ）〜図７（ｈ））とを示している。なお、図７（ａ）及び図７（ｅ）は、図５（ａ）及び図５（ｃ）とそれぞれ同一のライブビュー画像Ｗ１００，Ｗ２００を示している。
通信機器３のユーザは、通信機器３に表示されたライブビュー画像Ｗ２００（図７（ｅ））を確認しながら、撮像装置２にて撮像される画角を変更させ、当該変更させた画角で撮影を行わせたい場合には、図７（ｆ）に示すように、例えば、「右側に画角を変更してから撮影して」という言葉を発する。
そして、通信機器３は、第２入力部３２からの音声データ（「右側に画角を変更してから撮影して」の音声に対応する音声データ）に基づいて、操作指示があったと判断する（ステップＳ２０４：Ｙｅｓ）。また、通信機器３は、当該音声データを解析して、右側に画角を変更して撮影を行う撮影予約指示に関する操作指示情報を生成し（ステップＳ２０５）、撮像装置２に送信する（ステップＳ２０６）。
【００４８】
一方、撮像装置２は、受信した操作指示情報に基づいて、操作指示が撮影予約指示である（自動撮影指示ではない）と判断する（ステップＳ１０７：Ｎｏ）。そして、撮像装置２は、図７（ｂ）に示すように、現時点で表示しているライブビュー画像Ｗ１００に対して、当該撮影予約指示に対応する画像（「右側に画角を変更し、撮影して下さい。」のメッセージＭ１）を重畳し、当該重畳した画像Ｗ１０２を一定期間、表示する（ステップＳ１１１）。
【００４９】
撮像装置２のユーザは、撮像装置２に表示された画像Ｗ１０２（図７（ｂ））に含まれるメッセージＭ１を確認し、当該メッセージＭ１に応じた操作を行うか否かを判断する。
以下では、撮像装置２のユーザが当該メッセージＭ１に応じた操作を行った場合（撮像装置２の向きを右側に移動し、第１入力部２３に対して撮影操作を行った場合）について説明する。
撮像装置２のユーザが撮像装置２の向きを右側に移動している最中には、撮像装置２は、ユーザ操作（当該移動）があったと常時、判断する（ステップＳ１１２：Ｙｅｓ）。そして、撮像装置２は、撮像装置２のユーザによる第１入力部２３への撮影操作が行われるまで、上記ユーザ操作（上記移動）の内容の認識及び記憶（ステップＳ１１３，Ｓ１１４）を実行しながら、図７（ｃ）及び図７（ｄ）に示すように、ライブビュー表示（右側に画角が変更された際のライブビュー画像Ｗ１０３，Ｗ１０４の表示）を実行する（ステップＳ１０３）。なお、通信機器３にも、図７（ｇ）及び図７（ｈ）に示すように、ライブビュー画像Ｗ１０３，Ｗ１０４にそれぞれ対応したライブビュー画像Ｗ２０１，Ｗ２０２が表示される。
【００５０】
撮像装置２に図７（ｄ）に示したライブビュー画像Ｗ１０４が表示されている際に、撮像装置２のユーザにより第１入力部２３に撮影操作が行われた場合（ステップＳ１１５：Ｙｅｓ）には、撮像装置２は、ライブビュー画像Ｗ１０４に対応するライブビュー画像データを仮記録する（ステップＳ１１６）。また、撮像装置２は、ステップＳ１０５にて第１メモリ部２５に記憶した操作指示情報（右側に画角を変更して撮影を行う撮影予約指示）と、ステップＳ１１４にて第１メモリ部２５に記憶したユーザ操作情報（右側に画角を変更する操作、及び撮影操作）とに基づいて、外部依頼による撮影であることを示す判定結果情報を生成する（ステップＳ１１７）。そして、撮像装置２は、画像ファイルの生成及び記録（ステップＳ１１８）を実行する。
【００５１】
図８は、図７（ｆ）に示した撮影予約指示により、撮像装置２にて生成される画像ファイルＦ２の一例を示す図である。
具体的に、ステップＳ１１８において、撮像装置２は、図８に示すように、ライブビュー画像Ｗ１０４に対応するライブビュー画像データに対して、外部依頼による撮影であることを示す判定結果情報ＩＤ１を関連付けた画像ファイルＦ２を生成及び記録する。
【００５２】
なお、具体的な図示は省略したが、撮像装置２のユーザがメッセージＭ１に応じた操作を行っていない場合（例えば、撮像装置２の向きを左側に移動し、第１入力部２３に対して撮影操作を行った場合）には、撮像装置２は、以下の処理を実行する。
すなわち、撮像装置２は、ステップＳ１１７において、ステップＳ１０５にて第１メモリ部２５に記憶した操作指示情報（右側に画角を変更して撮影を行う撮影予約指示）と、ステップＳ１１４にて第１メモリ部２５に記憶したユーザ操作情報（左側に画角を変更する操作、及び撮影操作）とに基づいて、撮像装置２のユーザによる撮影であることを示す判定結果情報を生成する。そして、撮像装置２は、ステップＳ１１８において、撮影操作があった時点で表示しているライブビュー画像データに対して、撮像装置２のユーザによる撮影であることを示す判定結果情報（例えば、図９に示した判定結果情報ＩＤ２）を関連付けた画像ファイルを生成及び記録する。
【００５３】
〔操作指示によらない撮像装置のユーザの意志による撮影〕
図９は、通信機器３のユーザにより自動撮影指示や撮影予約指示が行われることなく、撮像装置２のユーザの意志により撮影が行われた場合に撮像装置２にて生成される画像ファイルＦ３の一例を示す図である。
通信機器３のユーザにより図５（ｄ）に示した自動撮影指示や図７（ｆ）に示した撮影予約指示が行われずに、例えば、撮像装置２に図５（ａ）や図７（ａ）に示したライブビュー画像Ｗ１００が表示された状態で、撮像装置２のユーザにより第１入力部２３に撮影操作が行われた場合には、撮像装置２は、図９に示した画像ファイルＦ３を生成する。
具体的に、上記の場合は、操作指示情報を受信しておらず（ステップＳ１０５：Ｎｏ）、撮影操作が行われた場合（ステップＳ１１５：Ｙｅｓ）に相当する。
この場合には、撮像装置２は、第１メモリ部２５に操作指示情報が記憶されていないため、ステップＳ１１７において、撮像装置２のユーザによる撮影であることを示す判定結果情報を生成する。そして、撮像装置２は、ステップＳ１１８において、図９に示すように、ライブビュー画像Ｗ１００に対応するライブビュー画像データに対して、撮像装置２のユーザによる撮影であることを示す判定結果情報ＩＤ２を関連付けた画像ファイルＦ３を生成及び記録する。
【００５４】
以上説明した本実施の形態１に係る撮像装置２は、撮像部２１にて生成した画像データに対して、当該画像データが外部の通信機器３から受信した操作指示情報に基づく操作指示に応じて記録されるものであるか否かの判定結果に関する判定結果情報を関連付けた画像ファイルを生成し、画像データ記録部２７に記録する。
このため、撮像装置２のユーザは、画像データ記録部２７に記録された画像データを確認する際、当該画像データに関連付けられた判定結果情報を認識することができる。すなわち、撮像装置２のユーザは、当該画像データが外部の通信機器３からの操作指示に応じて記録されたものか、あるいは、操作指示によらず当該ユーザの意志に応じた操作により記録されたものかを判別することができる。
したがって、本実施の形態１に係る撮像装置２によれば、画像データの記録に関する責任の所在を明確にすることができる。
【００５５】
（実施の形態２）
次に、本発明の実施の形態２について説明する。
以下の説明では、上述した実施の形態１と同様の構成及びステップには同一符号を付し、その詳細な説明は省略または簡略化する。
本実施の形態２は、上述した実施の形態１で説明した撮像システム１を、撮像装置２としてデジタルカメラを採用し、当該デジタルカメラを利用した撮像システムに適用したものである。
以下、本実施の形態２に係る撮像システム１Ａを構成する撮像装置２Ａの構成を説明する。なお、撮像システム１Ａを構成する通信機器３については、上述した実施の形態１で説明した通信機器３と同様の構成であるため、説明を省略する。
【００５６】
〔撮像装置の概略構成〕
図１０は、本発明の実施の形態２に係る撮像装置２Ａのユーザに面する側（前面側）の構成を示す斜視図である。図１１は、撮像装置２Ａの構成を示すブロック図である。
本実施の形態２に係る撮像装置２Ａは、図１０または図１１に示すように、本体部４と、本体部４に着脱可能なレンズ部５とを備える。
【００５７】
〔本体部の構成〕
本体部４は、図１１に示すように、上述した実施の形態１で説明した各構成２２〜２４，２８にそれぞれ対応する第１表示部２２Ａ、第１入力部２３Ａ、第１通信部２４Ａ、及び第１制御部２８Ａの他、シャッタ４０と、シャッタ駆動部４１と、撮像素子４２と、撮像素子駆動部４３と、信号処理部４４と、Ａ／Ｄ変換部４５と、画像処理部４６と、ＡＥ処理部４７と、ＡＦ処理部４８と、画像圧縮展開部４９と、表示駆動部５０と、タッチパネル５１と、記録媒体５２と、メモリＩ／Ｆ５３と、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）５４と、Ｆｌａｓｈメモリ５５と、本体通信部５６と、バス５７等を備える。
【００５８】
シャッタ４０は、撮像素子４２の状態を露光状態または遮光状態に設定する。
シャッタ駆動部４１は、ステッピングモータ等を用いて構成され、第１制御部２８Ａから入力される指示信号に応じてシャッタ４０を駆動する。
撮像素子４２は、レンズ部５が集光した光を受光して電気信号に変換するＣＣＤ等を用いて構成される。
撮像素子駆動部４３は、第１制御部２８Ａから入力される指示信号に応じて、所定のタイミングで撮像素子４２から画像データ（アナログ信号）を信号処理部４４に出力させる。
この意味で、撮像素子駆動部４３は、電子シャッタとして機能する。
【００５９】
信号処理部４４は、撮像素子４２から入力されるアナログ信号に対して、アナログ処理を施してＡ／Ｄ変換部４５に出力する。
具体的には、信号処理部４４は、アナログ信号に対してノイズ低減処理及びゲインアップ処理等を行う。例えば、信号処理部４４は、アナログ信号に対して、リセットノイズ等を低減した上で波形整形を行い、さらに目的の明るさとなるようにゲインアップを行う。
Ａ／Ｄ変換部４５は、信号処理部４４から入力されるアナログ信号に対してＡ／Ｄ変換を行うことによってデジタルの画像データ（ＲＡＷデータ）を生成し、バス５７を介してＳＤＲＡＭ５４に出力する。
以上説明した撮像素子４２、信号処理部４４、及びＡ／Ｄ変換部４５は、本発明に係る撮像部としての機能を有する。
【００６０】
画像処理部４６は、第１制御部２８Ａによる制御の下、バス５７を介してＳＤＲＡＭ５４から画像データを取得し、取得した画像データに対して各種の画像処理を施す。この画像処理が施された画像データは、バス５７を介してＳＤＲＡＭ５４に出力される。
この画像処理部４６が行う各種の画像処理は、基本画像処理及び特殊画像処理を含む。
基本画像処理は、オプティカルブラック減算処理、ホワイトバランス調整処理、撮像素子がベイヤー配列の場合には画像データの同時化処理、カラーマトリクス減算処理、γ補正処理、色再現処理及びエッジ強調処理等を含む基本の画像処理である。
特殊画像処理は、「ポップアート」、「ファンタジックフォーカス」、「トイフォト」、「ジオラマ」、及び「ラフモノクローム」等の視覚的な効果を生じさせる画像処理である（例えば、特開２０１０−７４２４４号公報、特開２０１０−６２８３６号公報等を参照）。
【００６１】
ＡＥ処理部４７は、バス５７を介してＳＤＲＡＭ５４に記憶された画像データを取得し、当該取得した画像データに基づいて、静止画撮影または動画撮影を行う際の露出条件を設定する。
具体的には、ＡＥ処理部４７は、画像データから輝度を算出し、算出した輝度に基づいて、例えば、絞り値、露光時間、ＩＳＯ感度等を決定することで撮像装置２Ａの自動露出（Ａｕｔｏ  Ｅｘｐｏｓｕｒｅ）を行う。
ＡＦ処理部４８は、バス５７を介してＳＤＲＡＭ５４に記憶された画像データを取得し、取得した画像データに基づいて、撮像装置２Ａの自動焦点の調整を行う。
例えば、ＡＦ処理部４８は、画像データから高周波成分の信号を取り出し、高周波成分の信号に対してＡＦ（Ａｕｔｏ  Ｆｏｃｕｓ）演算処理を行うことによって、撮像装置２Ａの合焦評価を決定することで撮像装置２Ａの自動焦点の調整を行う。
なお、撮像装置２Ａの自動焦点の調整方法は、撮像素子で位相差信号を取得するものや、専用のＡＦ光学系等を搭載するタイプの方法であっても構わない。
【００６２】
画像圧縮展開部４９は、バス５７を介してＳＤＲＡＭ５４から画像データを取得し、取得した画像データに対して所定の形式に従って圧縮し、この圧縮した画像データをＳＤＲＡＭ５４に出力する。
ここで、静止画の圧縮方式は、ＪＰＥＧ（Ｊｏｉｎｔ  Ｐｈｏｔｏｇｒａｐｈｉｃ  Ｅｘｐｅｒｔｓ  Ｇｒｏｕｐ）方式、ＴＩＦＦ（Ｔａｇｇｅｄ  Ｉｍａｇｅ  Ｆｉｌｅ  Ｆｏｒｍａｔ）方式等である。また、動画の圧縮方式は、ＭｏｔｉｏｎＪＰＥＧ方式、及びＭＰ４（Ｈ．２６４）方式等である。
また、画像圧縮展開部４９は、バス５７及びメモリＩ／Ｆ５３を介して記録媒体５２に記録された画像データ（圧縮画像データ）や画像ファイル（圧縮画像ファイル）を取得し、取得した画像データや画像ファイルを展開（伸長）してＳＤＲＡＭ５４に出力する。
【００６３】
本実施の形態２に係る第１入力部２３Ａは、ユーザ操作を受け付け、バス５７を介して、当該ユーザ操作に応じた指示信号を第１制御部２８Ａに出力する。
この第１入力部２３Ａは、図１０または図１１に示すように、撮像装置２Ａの電源状態をオン状態またはオフ状態に切り替える電源スイッチ２３１と、静止画レリーズ信号を出力して静止画撮影の指示を与えるレリーズスイッチ２３２と、撮像装置２Ａのモード（撮影モード（静止画撮影モード及び動画撮影モード）や再生モード等）を切り替えるモード切替スイッチ２３３と、撮像装置２Ａの各種設定を切り替える操作スイッチ２３４と、撮像装置２Ａの各種設定を第１表示部２２Ａに表示させるメニュースイッチ２３５と、記録媒体５２に記録された画像データや画像ファイルに対応する画像を第１表示部２２Ａに表示させる再生スイッチ２３６と、動画レリーズ信号を出力して動画撮影の指示を与える動画スイッチ２３７等を備える。
【００６４】
レリーズスイッチ２３２は、外部からの押圧により進退可能であり、半押しされた場合にファーストレリーズ信号を第１制御部２８Ａに出力して撮影準備動作を指示する一方、全押しされた場合にセカンドレリーズ信号を第１制御部２８Ａに出力して静止画撮影を指示する。
操作スイッチ２３４は、メニュー画面等における選択設定を行う上下左右の各方向スイッチ２３４ａ〜２３４ｄと、メニュー画面等における各方向スイッチ２３４ａ〜２３４ｄによる操作を決定する決定スイッチ２３４ｅ（ＯＫスイッチ）とを備える（図１０）。なお、操作スイッチ２３４は、ダイヤルスイッチ等を用いて構成してもよい。
【００６５】
表示駆動部５０は、第１制御部２８Ａによる制御の下、バス５７を介してＳＤＲＡＭ５４に記憶された画像データ（ＲＡＷデータに対して基本画像処理や特殊画像処理が施された画像データ）、または記録媒体５２に記録された画像データや画像ファイル等を取得し、取得した画像データや画像ファイルに対応する画像を第１表示部２２Ａに表示させる。
ここで、画像の表示には、ＲＡＷデータに対して基本画像処理や特殊画像処理が施された画像データに対応するライブビュー画像を表示するライブビュー表示、撮影直後の画像データに対応する画像を所定時間だけ表示するレックビュー表示、記録媒体５２に記録された画像データや画像ファイルを再生する再生表示等が含まれる。
また、本実施の形態２に係る第１表示部２２Ａは、撮像装置２Ａの操作情報及び操作に関する情報を適宜表示する。
【００６６】
本実施の形態２に係る第１通信部２４Ａは、第１制御部２８Ａによる制御の下、撮像装置２Ａのユーザにより例えばメニュー画面上で設定された通信先の通信機器（本実施の形態２では通信機器３（図１参照））との間でライブビュー画像データや通信に必要な信号を含む各種データの無線通信を所定のプロトコルに従って行う。
本実施の形態２において、ライブビュー画像データは、ＳＤＲＡＭ５４に記憶されライブビュー表示に用いられる画像データ（ＲＡＷデータに対して基本画像処理や特殊画像処理が施された画像データ）である。
【００６７】
タッチパネル５１は、図１０に示すように、第１表示部２２Ａの表示画面上に設けられ、外部からの物体のタッチを検出し、検出したタッチ位置に応じた位置信号を出力する。
ここで、一般的には、タッチパネルとして、抵抗膜方式、静電容量方式、光学方式等のタッチパネルがある。本実施の形態２のタッチパネル５１としては、いずれの方式のタッチパネルであっても適用可能である。
【００６８】
記録媒体５２は、本発明に係る記録部としての機能を有する。
具体的に、記録媒体５２は、撮像装置２Ａの外部から装着されるメモリカード等を用いて構成され、メモリＩ／Ｆ５３を介して撮像装置２Ａに着脱自在に装着される。
この記録媒体５２には、その種類に応じた図示しない読み書き装置によって画像処理部４６や画像圧縮展開部４９が処理を施した画像データや画像ファイルが書き込まれ、または読み書き装置によって記録媒体５２に記録された画像データや画像ファイルが読み出される。また、記録媒体５２は、第１制御部２８Ａによる制御の下、メモリＩ／Ｆ５３及びバス５７を介してプログラム及び各種情報それぞれをＦｌａｓｈメモリ５５に出力してもよい。
【００６９】
ＳＤＲＡＭ５４は、揮発性メモリを用いて構成され、バス５７を介してＡ／Ｄ変換部４５から入力される画像データ（ＲＡＷデータ）、画像処理部４６にてＲＡＷデータに対して基本画像処理や特殊画像処理が施された画像データ、記録媒体５２に記録予定の記録予定画像データ、及び撮像装置２Ａの処理中の情報を一時的に記憶する。
Ｆｌａｓｈメモリ５５は、不揮発性メモリを用いて構成される。
このＦｌａｓｈメモリ５５は、撮像装置２Ａを動作させるための各種プログラム（撮像プログラムを含む）、プログラムの実行中に使用される各種データ、及び画像処理部４６による画像処理の動作に必要な各種パラメータ等を記録する。
【００７０】
本体通信部５６は、本体部４に装着されたレンズ部５との通信を行うための通信インターフェースである。
バス５７は、撮像装置２Ａの各構成部位を接続する伝送路等を用いて構成され、撮像装置２Ａの内部で発生した各種データを撮像装置２Ａの各構成部位に転送する。
【００７１】
本実施の形態２に係る第１制御部２８Ａは、バス５７を介して、第１入力部２３Ａからの指示信号、タッチパネル５１からの位置信号、または、第１通信部２４Ａが受信した操作指示情報等に応じて撮像装置２Ａを構成する各部に対応する指示やデータの転送等を行って撮像装置２Ａの動作を統括的に制御する。
例えば、第１制御部２８Ａは、セカンドレリーズ信号を入力した場合や、第１通信部２４Ａが受信した操作指示情報に基づく操作指示が自動撮影指示である場合に、撮像装置２Ａにおける撮影動作を開始する制御を行う。
ここで、撮像装置２Ａにおける撮影動作とは、シャッタ駆動部４１及び撮像素子駆動部４３の駆動によって撮像素子４２が出力した画像データに対し、信号処理部４４、Ａ／Ｄ変換部４５、及び画像処理部４６が所定の処理を施す動作をいう。このように処理が施された画像データは、第１制御部２８Ａによる制御の下、ＳＤＲＡＭ５４に記録予定画像データとして仮記録された後、判定結果情報等が関連付けられた画像ファイルとして生成される。また、当該画像ファイルは、画像圧縮展開部４９で圧縮され、バス５７及びメモリＩ／Ｆ５３を介して記録媒体５２に記録される。
【００７２】
この第１制御部２８Ａは、図１１に示すように、上述した実施の形態１で説明した第１制御部２８の各構成２８１〜２８５にそれぞれ対応する第１通信制御部２８１Ａ、第１表示制御部２８２Ａ、ユーザ操作認識部２８３Ａ、記録判定部２８４Ａ、及び撮像制御部２８５Ａを備える。
【００７３】
以上の構成を有する本体部４に対して、音声入出力機能、フラッシュ機能、及び着脱自在な電子ビューファインダ（ＥＶＦ）等を具備させてもよい。
【００７４】
〔レンズ部の構成〕
レンズ部５は、図１１に示すように、光学系５８と、ズームレンズ駆動部５９と、ズームレンズ位置検出部６０と、フォーカスレンズ駆動部６１と、フォーカスレンズ位置検出部６２と、絞り６３と、絞り駆動部６４と、絞り値検出部６５と、レンズ操作部６６と、レンズ記録部６７と、レンズ通信部６８と、レンズ制御部６９とを備える。
【００７５】
光学系５８は、所定の視野領域から光を集光し、この集光した光を撮像素子４２の撮像面に結像する。この光学系５８は、図１１に示すように、ズームレンズ５８１と、フォーカスレンズ５８２とを備える。
ズームレンズ５８１は、一または複数のレンズを用いて構成され、光軸Ｌ（図１１）に沿って移動することにより、光学系５８のズーム倍率を変更する。
フォーカスレンズ５８２は、一または複数のレンズを用いて構成され、光軸Ｌに沿って移動することにより、光学系５８のピント位置及び焦点距離を変更する。
【００７６】
ズームレンズ駆動部５９は、ステッピングモータやＤＣモータ等を用いて構成され、レンズ制御部６９による制御の下、ズームレンズ５８１を光軸Ｌに沿って移動させる。
ズームレンズ位置検出部６０は、フォトインタラプタ等を用いて構成され、ズームレンズ駆動部５９にて駆動されたズームレンズ５８１の位置を検出する。
具体的には、ズームレンズ位置検出部６０は、ズームレンズ駆動部５９に含まれる駆動用モータの回転量をパルス数に変換し、変換したパルス数に基づいて、予め定められた特定の基準位置からのズームレンズ５８１の光軸Ｌ上における位置を検出する。
【００７７】
フォーカスレンズ駆動部６１は、ステッピングモータやＤＣモータ等を用いて構成され、レンズ制御部６９による制御の下、フォーカスレンズ５８２を光軸Ｌに沿って移動させる。
フォーカスレンズ位置検出部６２は、フォトインタラプタ等を用いて構成され、ズームレンズ位置検出部６０と同様の方法により、フォーカスレンズ駆動部６１にて駆動されたフォーカスレンズ５８２の光軸Ｌ上における位置を検出する。
【００７８】
絞り６３は、光学系５８が集光した光の入射量を制限することで露出の調整を行う。
絞り駆動部６４は、ステッピングモータ等を用いて構成され、レンズ制御部６９による制御の下、絞り６３を駆動することで撮像素子４２に入射する光の光量を調整する。
絞り値検出部６５は、絞り駆動部６４にて駆動された絞り６３の状態を検出することで絞り６３の絞り値を検出する。この絞り値検出部６５は、リニアエンコーダや可変抵抗素子等のポテンションメータ及びＡ／Ｄ変換回路等を用いて構成される。
【００７９】
レンズ操作部６６は、図１０に示すように、レンズ部５のレンズ鏡筒の周囲に設けられる操作リング等であり、光学系５８内のズームレンズ５８１やフォーカスレンズ５８２の動作または撮像装置２Ａの動作を指示するユーザ操作を受け付ける。なお、レンズ操作部６６は、プッシュ式のスイッチ等であってもよい。
レンズ記録部６７は、光学系５８及び絞り６３の位置や動きを決定するための制御用プログラム、光学系５８の倍率、焦点距離、画角、収差、及びＦ値（明るさ）等を記録する。
レンズ通信部６８は、レンズ部５が本体部４に装着されたときに、本体部４の本体通信部５６と通信を行うための通信インターフェースである。
【００８０】
レンズ制御部６９は、ＣＰＵ等を用いて構成され、本体通信部５６及びレンズ通信部６８を介して入力される第１制御部２８Ａからの指示信号や駆動信号に応じてレンズ部５の動作を制御する。
また、レンズ制御部６９は、本体通信部５６及びレンズ通信部６８を介してズームレンズ位置検出部６０が検出したズームレンズ５８１の位置、フォーカスレンズ位置検出部６２が検出したフォーカスレンズ５８２の位置、及び絞り値検出部６５が検出した絞り６３の絞り値を第１制御部２８Ａに出力する。
【００８１】
〔撮像システムの動作〕
次に、本実施の形態２に係る撮像システム１Ａの動作について説明する。
ここで、本実施の形態２に係る通信機器３の動作は、上述した実施の形態１で説明した通信機器３の動作（図３）と同様の動作である。このため、以下では、撮像装置２Ａの動作（本発明に係る撮像方法）のみを説明する。
【００８２】
〔撮像装置の動作〕
図１２は、本実施の形態２に係る撮像装置２Ａの動作を示すフローチャートである。
なお、図１２では、説明の便宜上、撮像装置２Ａのユーザにより例えばメニュー画面上で撮像装置２Ａが通信モード（通信機器３との間で通信を行うモード）に設定されている場合での撮像装置２Ａの動作を図示している。以下の説明でも、撮像装置２Ａが通信モードに設定されているものとして説明する。
撮像装置２Ａのユーザによる電源スイッチ２３１の操作によって撮像装置２Ａの電源がオンになる（ステップＳ３０１：Ｙｅｓ）と、第１制御部２８Ａは、撮像装置２Ａのユーザによるモード切替スイッチ２３３の操作によって撮像装置２Ａが撮影モードに設定されているか否かを判断する（ステップＳ３０２）。
【００８３】
撮像装置２Ａが撮影モードに設定されていると判断した場合（ステップＳ３０２：Ｙｅｓ）には、第１制御部２８Ａは、撮像素子４２による撮像を開始する（ステップＳ３０３）。
具体的に、第１制御部２８Ａは、撮像素子駆動部４３を駆動することによって、電子シャッタによる撮影を行う。また、画像処理部４６は、電子シャッタによる撮影によって撮像素子４２が生成し、ＳＤＲＡＭ５４に記憶された画像データに対して基本画像処理や特殊画像処理を施す。
【００８４】
続いて、第１表示制御部２８２Ａは、第１表示部２２Ａにライブビュー表示を開始させる（ステップＳ３０４）。
具体的に、第１表示制御部２８２Ａは、画像処理部４６にて基本画像処理や特殊画像処理が施され、ＳＤＲＡＭ５４に記憶された最新のライブビュー画像データに対応するライブビュー画像を順次、第１表示部２２Ａに表示させる。
【００８５】
続いて、第１通信制御部２８１Ａは、第１通信部２４Ａを介して、ＳＤＲＡＭ５４に記憶された最新のライブビュー画像データ（ステップＳ３０４にて第１表示部２２Ａに表示されているライブビュー画像と同一の画像データ）を順次、通信機器３に送信させる（ステップＳ３０５）。
なお、図１２では、説明の便宜上、ステップＳ３０５がステップＳ３０４の後に実行される順序で図示しているが、実際にはステップＳ３０４，Ｓ３０５は略同時に実行されるものである。
【００８６】
ここで、撮影時に発生する著作権や、肖像権、撮影禁止区域における撮影等、この責任の所在を明確にすることは、本実施の形態２のような撮像システム１Ａを利用した遠隔カメラ撮影において、重要な考慮すべき課題である。そして、上記のような責任の所在に関するトラブルを未然に防止するために、撮像装置２Ａの使用状態を示すＧＰＳ情報等の位置情報や、気圧や傾き判定による撮像装置２Ａの高さや傾き等の姿勢の情報をライブビュー画像データとともにステップＳ３０５で送信するように構成してもよく、あるいは、撮像装置２Ａのユーザが撮像装置２Ａに操作（本発明に係る記録許諾操作または記録禁止操作に相当）を行うことで、外部撮影禁止または許諾等の信号（本発明に係る記録禁止情報または記録許諾情報に相当）をライブビュー画像データとともにステップＳ３０５で送信するように構成してもよい。このような信号（外部撮影禁止または許諾等の信号）を送信した場合には、後述するステップＳ３１２やステップＳ３２１において、画像データに、外部撮影禁止を示す外部撮影禁止情報（本発明に係る記録禁止情報に相当）または外部撮影許諾を示す外部撮影許諾情報（本発明に係る記録許諾情報に相当）を関連付けて記録してもよい。さらに、撮像装置２Ａのユーザが撮像装置２Ａに操作（本発明に係る責任引受操作または責任放棄操作に相当）を行うことで、撮像装置２Ａのユーザが当該撮像装置２Ａによる撮影の責任を引き受けることを示す第１責任引受情報や責任を放棄することを示す第１責任放棄情報をライブビュー画像データとともにステップＳ３０５で送信するように構成してもよい。このような第１責任引受情報または第１責任放棄情報を送信した場合には、後述するステップＳ３１２やステップＳ３２１において、画像データに、第１責任引受情報または第１責任放棄情報を関連付けて記録してもよい。なお、ステップＳ３０５で送信する情報としては、勿論、撮影パラメータ等の撮像装置２Ａの様々な設定に関する情報も送信可能とする。
【００８７】
続いて、第１通信制御部２８１Ａは、上述した実施の形態１で説明したステップＳ１０５と同様に、操作指示情報を受信したか否かを判断する（ステップＳ３０６）。
操作指示情報を受信していないと判断された場合（ステップＳ３０６：Ｎｏ）には、撮像装置２Ａは、ステップＳ３１４に移行する。
一方、操作指示情報を受信したと判断された場合（ステップＳ３０６：Ｙｅｓ）には、第１制御部２８Ａは、当該操作指示情報と、当該操作指示情報を受信した日時に関する受信日時情報とを関連付けてＳＤＲＡＭ５４に記憶する（ステップＳ３０７）。
【００８８】
続いて、撮像制御部２８５Ａは、上述した実施の形態１で説明したステップＳ１０７と同様に、第１通信部２４が受信した操作指示情報に基づく操作指示が自動撮影指示であるか否かを判断する（ステップＳ３０８）。
自動撮影指示であると判断した場合（ステップＳ３０８：Ｙｅｓ）には、撮像制御部２８５Ａは、撮影を行う（ステップＳ３０９：撮像ステップ）。
具体的に、ステップＳ３０９において、撮像制御部２８５Ａは、シャッタ駆動部４１及び撮像素子駆動部４３を駆動することによって、メカシャッタによる撮影を行う。また、画像処理部４６は、メカシャッタによる撮影によって撮像素子４２が生成し、ＳＤＲＡＭ５４に記憶された画像データに対して基本画像処理や特殊画像処理を施す。
【００８９】
続いて、撮像制御部２８５Ａは、ステップＳ３０９の撮影により生成された記録予定画像データ（メカシャッタによる撮影によって生成され、基本画像処理や特殊画像処理が施された画像データ）と当該撮影の日時に関する撮影日時情報とを関連付けてＳＤＲＡＭ５４に仮記録する（ステップＳ３１０）。
続いて、記録判定部２８４Ａは、上述した実施の形態１で説明したステップＳ１０９と同様に、ＳＤＲＡＭ５４に記憶された操作指示情報（自動撮影指示）に基づいて、外部依頼による撮影であることを示す判定結果情報を生成する（ステップＳ３１１：判定ステップ）。
【００９０】
続いて、撮像制御部２８５Ａは、前回の撮影（ステップＳ３０９またはステップＳ３１８）によりステップＳ３１０またはステップＳ３１９にてＳＤＲＡＭ５４に仮記録した前回の撮影日時情報、及び今回の撮影（ステップＳ３０９）によりステップ３１０にてＳＤＲＡＭ５４に仮記録した今回の撮影日時情報に基づいて、前回の撮影日時、及び今回の撮影日時を認識する。また、撮像制御部２８５Ａは、ステップＳ３０７及びステップＳ３１６にてＳＤＲＡＭ５４に操作指示情報及びユーザ操作情報とともに関連付けて記憶された受信日時情報及び操作日時情報を参照しつつ、前回の撮影日時から今回の撮影日時までに、受信した全ての操作指示情報、及びユーザ操作認識部２８３Ａにて認識された全てのユーザ操作情報を読み出す。さらに、撮像制御部２８５Ａは、読み出した全ての操作指示情報及びユーザ操作情報を時系列的に並べた履歴情報を生成する。そして、撮像制御部２８５Ａは、ステップＳ３１０にてＳＤＲＡＭ５４に仮記録した記録予定画像データを読み出し、当該記録予定画像データに対して、ステップＳ３１１にて生成された判定結果情報と、上記履歴情報とを関連付けた画像ファイルを生成する。また、撮像制御部２８５Ａは、当該画像ファイルを画像圧縮展開部４９に圧縮させ、圧縮した画像ファイルを記録媒体５２に記録する（ステップＳ３１２：記録ステップ）。この後、撮像装置２Ａは、ステップＳ３０１に戻る。
【００９１】
図１３Ａは、図５（ｄ）に示した自動撮影指示により、撮像装置２Ａにて生成される画像ファイルＦ１Ａの一例を示す図である。
具体的に、図１３Ａは、図４ないし図６に対応した図であり、通信機器３のユーザが図５（ｄ）に示した自動撮影指示を行った場合に、撮像装置２Ａにて生成される画像ファイルＦ１Ａの一例を示している。
例えば、本実施の形態２に係る撮像装置２Ａは、通信機器３のユーザが図５（ｄ）に示した自動撮影指示を行った場合には、図１３Ａに示すように、上述した実施の形態１で説明した画像ファイルＦ１（図６）とは異なる画像ファイルＦ１Ａを生成する（ステップＳ３１２）。
【００９２】
具体的に、画像ファイルＦ１Ａは、ライブビュー画像Ｗ１０１に対応するライブビュー画像データに対して、外部依頼による撮影（自動撮影指示による撮影）であることを示す判定結果情報ＩＤ１の他、履歴情報ＩＲ１が関連付けられた画像ファイルである。
履歴情報ＩＲ１は、前回の撮影から今回の撮影までの、操作指示情報の受信履歴やユーザ操作の操作履歴を示す情報である。
図１３Ａの例では、前回の撮影から今回の撮影までに１回のみ操作指示情報（自動撮影指示）を受信し、かつ、ユーザ操作が行われていない場合を示している。このため、履歴情報ＩＲ１は、前回撮影（日時Ｔ１）、操作指示情報（自動撮影指示）の受信（日時Ｔ２）、及び今回の撮影である自動撮影（日時Ｔ３）の３つの履歴が時系列的に並べられた情報となっている。
【００９３】
ステップＳ３０８に戻って、自動撮影指示ではないと判断された場合（ステップＳ３０８：Ｎｏ）には、第１表示制御部２８２Ａは、上述した実施の形態１で説明したステップＳ１１１と同様に、ライブビュー画像に対して操作指示情報に対応する画像を重畳し、当該重畳した画像を一定期間、第１表示部２２Ａに表示させる（ステップＳ３１３）。
ステップＳ３１３の後、または、操作指示情報を受信していないと判断された場合（ステップＳ３０６：Ｎｏ）、ユーザ操作認識部２８３Ａは、上述した実施の形態１で説明したステップＳ１１２と同様に、ユーザ操作があったか否かを判断する（ステップＳ３１４）。
【００９４】
ユーザ操作がないと判断された場合（ステップＳ３１４：Ｎｏ）には、撮像装置２Ａは、ステップＳ３０１に戻る。
一方、ユーザ操作があったと判断した場合（ステップＳ３１４：Ｙｅｓ）には、ユーザ操作認識部２８３Ａは、当該ユーザ操作の内容を認識する（ステップＳ３１５：ユーザ操作認識ステップ）。そして、ユーザ操作認識部２８３Ａは、当該ユーザ操作に関するユーザ操作情報と当該ユーザ操作を認識した日時に関する操作日時情報とを関連付けてＳＤＲＡＭ５４に記憶する（ステップＳ３１６）。
【００９５】
続いて、ユーザ操作認識部２８３Ａは、ステップＳ３１５にて認識したユーザ操作が撮影操作（レリーズスイッチ２３２からのセカンドレリーズ信号の入力）であるか否かを判断する（ステップＳ３１７）。
撮影操作ではないと判断された場合（ステップＳ３１７：Ｎｏ）には、撮像装置２Ａは、ステップＳ３０１に戻る。
一方、撮影操作であると判断された場合（ステップＳ３１７：Ｙｅｓ）には、撮像制御部２８５Ａは、ステップＳ３０９，Ｓ３１０と同様に、撮影を行う（ステップＳ３１８：撮像ステップ）とともに、当該撮影により生成された記録予定画像データと撮影日時情報とを関連付けてＳＤＲＡＭ５４に仮記録する（ステップＳ３１９）。
【００９６】
続いて、記録判定部２８４Ａは、上述した実施の形態１で説明したステップＳ１１７と同様に、ＳＤＲＡＭ５４に記憶された操作指示情報及びユーザ操作情報のうち少なくともいずれか一方の情報に基づいて、記録予定画像データが外部からの操作指示に応じて記録されるものであるか否かを判定し、当該判定結果に関する判定結果情報を生成する（ステップＳ３２０：判定ステップ）。
続いて、撮像制御部２８５Ａは、ステップＳ３１２と同様に、ステップＳ３１９にてＳＤＲＡＭ５４に仮記録した記録予定画像データに対して、ステップＳ３２０にて生成された判定結果情報と、生成した履歴情報とを関連付けた画像ファイルを生成する。そして、撮像制御部２８５Ａは、当該画像ファイルを画像圧縮展開部４９に圧縮させ、圧縮した画像ファイルを記録媒体５２に記録する（ステップＳ３２１：記録ステップ）。この後、撮像装置２Ａは、ステップＳ３０１に戻る。
【００９７】
図１３Ｂは、図７（ｆ）に示した撮影予約指示により、撮像装置２Ａにて生成される画像ファイルＦ２Ａの一例を示す図である。
具体的に、図１３Ｂは、図４、図７、及び図８に対応した図であり、通信機器３のユーザが図７（ｆ）に示した撮影予約指示を行った場合に、撮像装置２Ａにて生成される画像ファイルＦ２Ａの一例を示している。
例えば、本実施の形態２に係る撮像装置２Ａは、通信機器３のユーザが図７（ｆ）に示した撮影予約指示を行った場合であって、撮像装置２Ａのユーザが当該撮影予約指示に応じた操作を行った場合には、図１３Ｂに示すように、上述した実施の形態１で説明した画像ファイルＦ２（図８）とは異なる画像ファイルＦ２Ａを生成する（ステップＳ３２１）。
【００９８】
具体的に、画像ファイルＦ２Ａは、ライブビュー画像Ｗ１０４に対応するライブビュー画像データに対して、外部依頼による撮影であることを示す判定結果情報ＩＤ１の他、履歴情報ＩＲ２が関連付けられた画像ファイルである。
履歴情報ＩＲ２は、前回の撮影から今回の撮影までの、操作指示情報の受信履歴やユーザ操作の操作履歴を示す情報である。
図１３Ｂの例では、前回の撮影から今回の撮影までに１回のみ操作指示情報（撮影予約指示）を受信し、かつ、２回のユーザ操作（右側に画角を変更する操作、及び撮影操作）が行われた場合を示している。このため、履歴情報ＩＲ２は、前回撮影（日時Ｔ４）、操作指示情報（撮影予約指示（右側に画角を変更してから撮影））の受信（日時Ｔ５）、右側に画角を変更する操作を示すユーザ操作情報（日時Ｔ６）、撮影操作を示すユーザ操作情報（日時Ｔ７）、及び今回の撮影（日時Ｔ８）の５つの履歴が時系列的に並べられた情報となっている。
【００９９】
なお、具体的な図示は省略したが、撮像装置２Ａのユーザが図７（ｆ）に示した撮影予約指示に応じた操作を行っていない場合（例えば、撮像装置２Ａの向きを左側に移動し、撮影操作を行った場合）には、撮像装置２Ａは、以下に示す画像ファイルを生成する。
すなわち、撮影予約指示に従っていないため、当該画像ファイルは、図１３Ｂに示した画像ファイルＦ２Ａにおいて、判定結果情報ＩＤ１が撮像装置２Ａのユーザによる撮影を示す判定結果情報となり、履歴情報ＩＲ２における日時Ｔ６のユーザ操作情報が左側に画角を変更する操作を示すユーザ操作情報となる。
【０１００】
図１３Ｃは、通信機器３のユーザにより自動撮影指示や撮影予約指示が行われることなく、撮像装置２Ａのユーザの意志により撮影が行われた場合に撮像装置２Ａにて生成される画像ファイルＦ３Ａの一例を示す図である。
具体的に、図１３Ｃは、図４、図５、図７、及び図９に対応した図であり、通信機器３のユーザにより図５（ｄ）に示した自動撮影指示や図７（ｆ）に示した撮影予約指示が行われずに、撮像装置２Ａに図５（ａ）や図７（ａ）に示したライブビュー画像Ｗ１００が表示された状態で、撮像装置２Ａのユーザにより撮影操作が行われた場合に、撮像装置２Ａにて生成される画像ファイルＦ３Ａの一例を示している。
例えば、本実施の形態２に係る撮像装置２Ａは、上述した場合には、図１３Ｃに示すように、上述した実施の形態１で説明した画像ファイルＦ３（図９）とは異なる画像ファイルＦ３Ａを生成する（ステップＳ３２１）。
【０１０１】
具体的に、画像ファイルＦ３Ａは、ライブビュー画像Ｗ１００に対応するライブビュー画像データに対して、撮像装置２Ａのユーザによる撮影であることを示す判定結果情報ＩＤ２の他、履歴情報ＩＲ３が関連付けられた画像ファイルである。
履歴情報ＩＲ３は、前回の撮影から今回の撮影までの、操作指示情報の受信履歴やユーザ操作の操作履歴を示す情報である。
図１３Ｃの例では、前記の撮影から今回の撮影までに、操作指示情報を受信しておらず、かつ、３回のユーザ操作（ズーム倍率を変更する操作、フォーカス（マニュアル）を変更する操作、及び撮影操作）が行われた場合を示している。このため、履歴情報ＩＲ３は、前回撮影（日時Ｔ９）、ズーム倍率を変更する操作を示すユーザ操作情報（日時Ｔ１０）、フォーカス（マニュアル）を変更する操作を示すユーザ操作情報（日時Ｔ１１）、撮影操作を示すユーザ操作情報（日時Ｔ１２）、及び今回の撮影（日時Ｔ１３）の５つの履歴が時系列的に並べられた情報となっている。
【０１０２】
ステップＳ３０２に戻って、第１制御部２８Ａは、撮像装置２Ａが撮影モードに設定されていないと判断した場合（ステップＳ３０２：Ｎｏ）には、撮像装置２Ａのユーザによるモード切替スイッチ２３３の操作によって撮像装置２Ａが再生モードに設定されているか否かを判断する（ステップＳ３２２）。
撮像装置２Ａが再生モードに設定されていないと判断された場合（ステップＳ３２２：Ｎｏ）には、撮像装置２Ａは、ステップＳ３０１に戻る。
一方、撮像装置２Ａが再生モードに設定されていると判断された場合（ステップＳ３２２：Ｙｅｓ）には、第１表示制御部２８２Ａは、記録媒体５２に記録された画像データや画像ファイルに対応する画像（例えば、図１３Ａ〜図１３Ｃ参照）を第１表示部２２Ａに表示させる（ステップＳ３２３）。
【０１０３】
続いて、第１表示制御部２８２Ａは、撮像装置２Ａのユーザによる第１入力部２３Ａやタッチパネル５１への操作により、画像の変更を指示する指示信号が入力されたか否かを判断する（ステップＳ３２４）。
第１表示制御部２８２Ａは、画像の変更を指示する指示信号が入力されたと判断した場合（ステップＳ３２４：Ｙｅｓ）には、第１表示部２２Ａに表示させる画像を変更する（ステップＳ３２５）。ステップＳ３２５の後、撮像装置２Ａは、ステップＳ３２３に戻る。
一方、画像の変更を指示する指示信号が入力されていないと判断された場合（ステップＳ３２４：Ｎｏ）には、撮像装置２Ａは、ステップＳ３０１に戻る。
【０１０４】
以上説明した実施の形態２によれば、上述した実施の形態１と同様の効果の他、以下の効果がある。
本実施の形態２に係る撮像装置２Ａは、記録予定画像データに対して、判定結果情報の他、前回の撮影から今回の撮影までに受信した全ての操作指示情報、及び前回の撮影から今回の撮影までに行われた全てのユーザ操作に関するユーザ操作情報を時系列的に並べた履歴情報を関連付けた画像ファイルを生成し、記録媒体５２に記録する。
このため、撮像装置２Ａのユーザは、記録媒体５２に記録された画像データを確認する際、当該画像データに関連付けられた履歴情報を確認することで、どのような操作指示があったのか、どのような操作が行われて撮影されたのかを詳細に把握することができる。
【０１０５】
（実施の形態２の変形例）
上述した実施の形態２では、本体部４とレンズ部５とが別体で構成されていたが、これに限られず、本体部４とレンズ部５とを一体的に形成しても構わない。
【０１０６】
また、上述した実施の形態２では、画像ファイルを生成する際（ステップＳ３１２，Ｓ３２１）、記録予定画像データに対して、判定結果情報と、操作指示情報及びユーザ操作情報の双方を含む履歴情報とを関連付けた画像ファイルを生成していたが、これに限られない。例えば、記録予定画像データに対して、判定結果情報と、操作指示情報及びユーザ操作情報のうちいずれか一方の情報とを関連付けた画像ファイルを生成しても構わない。
【０１０７】
また、上述した実施の形態２において、記録予定画像データに関連付ける履歴情報としては、操作指示情報及びユーザ操作情報を含んでいれば、前回の撮影や今回の撮影の履歴については省略しても構わない。
【０１０８】
（実施の形態３）
次に、本発明の実施の形態３について説明する。
以下の説明では、上述した実施の形態１と同様の構成及びステップには同一符号を付し、その詳細な説明は省略または簡略化する。
本実施の形態３に係る撮像システムは、上述した実施の形態１で説明した撮像システムと同様の機能の他、通信機器のユーザが通信機器に特定位置での撮影を指示する特定位置撮影指示（操作指示）を入力することにより、通信機器のユーザから離れた場所にいる撮像装置のユーザに対して、撮像装置を介して当該操作指示を認識させ、当該操作指示に応じた撮像装置への操作を促す機能を有している。
【０１０９】
〔撮像システムの構成〕
図１４は、本発明の実施の形態３に係る撮像システム１Ｂの構成を示すブロック図である。
以下、本実施の形態３に係る撮像システム１Ｂを構成する撮像装置２Ｂの構成を説明する。なお、撮像システム１Ｂを構成する通信機器３については、図１４に示すように、上述した実施の形態１で説明した通信機器３（図１）と同様の構成であるため、説明を省略する。
【０１１０】
〔撮像装置の構成〕
撮像装置２Ｂは、図１４に示すように、上述した実施の形態１で説明した撮像装置２（図１）に対して、位置取得部２９が付加されている。
位置取得部２９は、地上の物体の位置を測定する測定手段であるＧＰＳを構成する複数のＧＰＳ衛星から送信されてくる衛星の軌道情報を受信し、この受信した軌道情報に基づいて、撮像装置２Ｂの位置情報（経度や緯度に関する情報）を取得する。そして、位置取得部２９は、撮像装置２Ｂの位置情報を第１制御部２８Ｂに出力する。
なお、第１制御部２８Ｂを構成するユーザ操作認識部２８３Ｂ、記録判定部２８４Ｂ、及び撮像制御部２８５Ｂは、上述した実施の形態１で説明したユーザ操作認識部２８３、記録判定部２８４、及び撮像制御部２８５にそれぞれ対応する構成であり、位置取得部２９の付加に伴い、一部の機能がユーザ操作認識部２８３、記録判定部２８４、及び撮像制御部２８５とは異なる。
【０１１１】
〔撮像システムの動作〕
次に、本実施の形態３に係る撮像システム１Ｂの動作について説明する。
ここで、本実施の形態３に係る通信機器３の動作は、上述した実施の形態１で説明した通信機器３の動作（図３）と同様の動作である。このため、以下では、撮像装置２Ｂの動作（本発明に係る撮像方法）のみを説明する。
【０１１２】
〔撮像装置の動作〕
図１５は、本実施の形態３に係る撮像装置２Ｂの動作を示すフローチャートである。
撮像装置２Ｂの動作は、上述した実施の形態１で説明した撮像装置２の動作（図２）に対して、図１５に示すように、ステップＳ１１９を付加するとともに、ステップＳ１１０，Ｓ１１２〜Ｓ１１４，Ｓ１１７，Ｓ１１８の代わりにステップＳ１１０Ｂ，Ｓ１１２Ｂ〜Ｓ１１４Ｂ，Ｓ１１７Ｂ，Ｓ１１８Ｂを採用した点が異なる。
このため、以下では、上記異なる点のみを説明する。
【０１１３】
〔ステップＳ１１９〕
撮像装置２Ｂの電源がオンになる（ステップＳ１０１：Ｙｅｓ）と、ステップＳ１１９において、位置取得部２９は、撮像装置２Ｂの位置情報を取得する。そして、第１制御部２８Ｂは、位置取得部２９にて取得した位置情報を第１メモリ部２５に記憶する。この後、撮像装置２Ｂは、ステップＳ１０２に移行する。
【０１１４】
〔ステップＳ１１０Ｂ〕
本実施の形態３に係る撮像制御部２８５Ｂは、ステップＳ１１０Ｂ（記録ステップ）において、ステップＳ１０８にて第１メモリ部２５に仮記録した記録予定画像データ、及びステップＳ１１９にて第１メモリ部２５に記憶した位置情報をそれぞれ読み出す。また、撮像制御部２８５Ｂは、当該記録予定画像データに対して、当該位置情報、及びステップＳ１０９にて生成された判定結果情報を関連付けた画像ファイルを生成する。そして、撮像制御部２８５Ｂは、当該画像ファイルを画像データ記録部２７に記録する。この後、撮像装置２Ｂは、ステップＳ１０１に戻る。
【０１１５】
図１６Ａは、図５（ｄ）に示した自動撮影指示により、撮像装置２Ｂにて生成される画像ファイルＦ１Ｂの一例を示す図である。
具体的に、図１６Ａは、図４ないし図６に対応した図であり、通信機器３のユーザが図５（ｄ）に示した自動撮影指示を行った場合に、撮像装置２Ｂにて生成される画像ファイルＦ１Ｂの一例を示している。
例えば、本実施の形態３に係る撮像装置２Ｂは、通信機器３のユーザが図５（ｄ）に示した自動撮影指示を行った場合には、図１６Ａに示すように、上述した実施の形態１で説明した画像ファイルＦ１（図６）とは異なる画像ファイルＦ１Ｂを生成する（ステップＳ１１０Ｂ）。
具体的に、画像ファイルＦ１Ｂは、ライブビュー画像Ｗ１０１に対応するライブビュー画像データに対して、外部依頼による撮影（自動撮影指示による撮影）であることを示す判定結果情報ＩＤ１の他、場所△△（図４）での撮影を示す位置情報ＩＰ１が関連付けられた画像ファイルである。
【０１１６】
〔ステップＳ１１２Ｂ〜Ｓ１１４Ｂ〕
本実施の形態３に係るユーザ操作認識部２８３Ｂは、ステップＳ１１２Ｂにおいて、上述した実施の形態１で説明したステップＳ１１２と同様の判断を行う他、以下に示すユーザ操作があったか否かの判断を行う。
ユーザ操作認識部２８３Ｂは、ステップＳ１１９にて従前に第１メモリ部２５に記憶された撮像装置２Ｂの位置情報と、ステップＳ１１９にて第１メモリ部２５に記憶された最新の撮像装置２Ｂの位置情報とを比較し、撮像装置２Ｂの位置を変更するユーザ操作があったか否かを判断する。
そして、ユーザ操作があったと判断した場合（ステップＳ１１２Ｂ：Ｙｅｓ）には、ユーザ操作認識部２８３Ｂは、当該ユーザ操作の内容を認識し（ステップＳ１１３Ｂ：ユーザ操作認識ステップ）、当該ユーザ操作に関するユーザ操作情報（撮像装置２Ｂが位置情報に基づく現在位置に移動されたことを示す情報）を第１メモリ部２５に記憶する（ステップＳ１１４Ｂ）。
【０１１７】
〔ステップＳ１１７Ｂ，Ｓ１１８Ｂ〕
本実施の形態３に係る記録判定部２８４Ｂは、ステップＳ１１７Ｂ（判定ステップ）において、上述した実施の形態１で説明したステップＳ１１７と同様の判定及び判定結果情報の生成を行う他、受信した操作指示情報に基づく操作指示が特定位置での撮影を指示する特定位置撮影指示であった場合には、以下に示す判定及び判定結果情報の生成を行う。
記録判定部２８４Ｂは、操作指示情報で指定された特定位置と、ステップＳ１１４Ｂにて第１メモリ部２５に記憶されたユーザ操作情報（撮像装置２Ｂが位置情報に基づく現在位置に移動されたことを示す情報）とに基づいて、記録予定画像データが外部からの操作指示に応じて記録されるものであるか否かを判定し、当該判定結果に関する判定結果情報を生成する。
続いて、本実施の形態３に係る撮像制御部２８５Ｂは、ステップＳ１１８Ｂ（記録ステップ）において、ステップＳ１１６にて第１メモリ部２５に仮記録した記録予定画像データ、及びステップＳ１１９にて第１メモリ部２５に記憶した位置情報をそれぞれ読み出す。また、撮像制御部２８５Ｂは、当該記録予定画像データに対して、当該位置情報、及びステップＳ１１７Ｂにて生成された判定結果情報を関連付けた画像ファイルを生成する。そして、撮像制御部２８５Ｂは、当該画像ファイルを画像データ記録部２７に記録する。この後、撮像装置２Ｂは、ステップＳ１０１に戻る。
【０１１８】
図１６Ｂは、図７（ｆ）に示した撮影予約指示により、撮像装置２Ｂにて生成される画像ファイルＦ２Ｂの一例を示す図である。
具体的に、図１６Ｂは、図４、図７、及び図８に対応した図であり、通信機器３のユーザが図７（ｆ）に示した撮影予約指示を行った場合に、撮像装置２Ｂにて生成される画像ファイルＦ２Ｂの一例を示している。
例えば、本実施の形態３に係る撮像装置２Ｂは、通信機器３のユーザが図７（ｆ）に示した撮影予約指示を行った場合であって、撮像装置２Ｂのユーザが当該撮影予約指示に応じた操作を行った場合には、図１６Ｂに示すように、上述した実施の形態１で説明した画像ファイルＦ２（図８）とは異なる画像ファイルＦ２Ｂを生成する（ステップＳ１１８Ｂ）。
具体的に、画像ファイルＦ２Ｂは、ライブビュー画像Ｗ１０４に対応するライブビュー画像データに対して、外部依頼による撮影であることを示す判定結果情報ＩＤ１の他、場所△△（図４）での撮影を示す位置情報ＩＰ１が関連付けられた画像ファイルである。
【０１１９】
なお、具体的な図示は省略したが、撮像装置２Ｂのユーザが図７（ｆ）に示した撮影予約指示に応じた操作を行っていない場合（例えば、撮像装置２Ｂの向きを左側に移動し、撮影操作を行った場合）には、撮像装置２Ｂは、以下に示す画像ファイルを生成する。
すなわち、撮影予約指示に従っていないため、当該画像ファイルは、図１６Ｂに示した画像ファイルＦ２Ｂにおいて、判定結果情報ＩＤ１が撮像装置２Ｂのユーザによる撮影を示す判定結果情報となる。
【０１２０】
図１６Ｃは、通信機器３のユーザにより自動撮影指示や撮影予約指示が行われることなく、撮像装置２Ｂのユーザの意志により撮影が行われた場合に撮像装置２Ｂにて生成される画像ファイルＦ３Ｂの一例を示す図である。
具体的に、図１６Ｃは、図４、図５、図７、及び図９に対応した図であり、通信機器３のユーザにより図５（ｄ）に示した自動撮影指示や図７（ｆ）に示した撮影予約指示が行われずに、撮像装置２Ｂに図５（ａ）や図７（ａ）に示したライブビュー画像Ｗ１００が表示された状態で、撮像装置２Ｂのユーザにより撮影操作が行われた場合に、撮像装置２Ｂにて生成される画像ファイルＦ３Ｂの一例を示している。
例えば、本実施の形態３に係る撮像装置２Ｂは、上述した場合には、図１６Ｃに示すように、上述した実施の形態１で説明した画像ファイルＦ３（図９）とは異なる画像ファイルＦ３Ｂを生成する（ステップＳ１１８Ｂ）。
具体的に、画像ファイルＦ３Ｂは、ライブビュー画像Ｗ１００に対応するライブビュー画像データに対して、撮像装置２Ｂのユーザによる撮影であることを示す判定結果情報ＩＤ２の他、場所△△（図４）での撮影を示す位置情報ＩＰ１が関連付けられた画像ファイルである。
【０１２１】
〔特定位置撮影指示及び画像ファイルの具体例〕
以上説明した撮像システム１Ｂの動作時に通信機器３のユーザが行う特定位置撮影指示や、当該特定位置撮影指示に応じて、撮像装置２Ｂが生成する画像ファイルの具体例について説明する。
図１７は、撮像システム１Ｂの動作時に通信機器３のユーザが行う特定位置撮影指示（操作指示）の一例を示す図である。
具体的に、図１７は、図４及び図５に対応した図であり、撮像装置２Ｂに表示される画像の一例（図１７（ａ）及び図１７（ｂ））と、通信機器３に表示される画像の一例（図１７（ｃ）及び図１７（ｄ））とを示している。なお、図１７（ａ）及び図１７（ｃ）は、図５（ａ）及び図５（ｃ）とそれぞれ同一のライブビュー画像Ｗ１００，Ｗ２００を示している。
通信機器３のユーザは、通信機器３に表示されたライブビュー画像Ｗ２００（図１７（ｃ））を確認しながら、撮像装置２Ｂのユーザに特定位置（現在、撮像装置２Ｂのユーザがいる場所△△（図４）とは異なる場所○○）で撮影を行わせたい場合には、図１７（ｄ）に示すように、例えば、「○○で撮影して」という言葉を発する。
そして、通信機器３は、第２入力部３２からの音声データ（「○○で撮影して」の音声に対応する音声データ）に基づいて、操作指示があったと判断する（ステップＳ２０４：Ｙｅｓ）。また、通信機器３は、当該音声データを解析して、○○（特定位置）で撮影を行う特定位置撮影指示に関する操作指示情報を生成し（ステップＳ２０５）、撮像装置２Ｂに送信する（ステップＳ２０６）。
【０１２２】
一方、撮像装置２Ｂは、受信した操作指示情報に基づいて、操作指示が特定位置撮影指示である（自動撮影指示ではない）と判断する（ステップＳ１０７：Ｎｏ）。そして、撮像装置２Ｂは、図１７（ｂ）に示すように、現時点で表示しているライブビュー画像Ｗ１００に対して、当該特定位置撮影指示に応じた画像（「○○で撮影して下さい。」のメッセージＭ２）を重畳し、当該重畳した画像Ｗ１０５を一定期間、表示する（ステップＳ１１１）。
【０１２３】
撮像装置２Ｂのユーザは、撮像装置２Ｂに表示された画像Ｗ１０５（図１７（ｂ））に含まれるメッセージＭ２を確認し、当該メッセージＭ２に応じた操作を行うか否かを判断する。
以下では、撮像装置２Ｂのユーザが当該メッセージＭ２に応じた操作を行った場合（場所○○に移動し、第１入力部２３に対して撮影操作を行った場合）について説明する。
撮像装置２Ｂのユーザが撮像装置２Ｂを場所△△（図４）から場所○○に移動させた場合には、撮像装置２Ｂは、当該ユーザ操作を認識し（ステップＳ１１３Ｂ）、当該ユーザ操作に関するユーザ操作情報（撮像装置２Ｂが場所○○に移動されたことを示す情報）を第１メモリ部２５に記憶する（ステップＳ１１４Ｂ）。
そして、撮像装置２Ｂのユーザにより第１入力部２３に撮影操作が行われた場合（ステップＳ１１５：Ｙｅｓ）には、撮像装置２Ｂは、当該撮影操作が行われた時点で表示しているライブビュー画像に対応するライブビュー画像データを仮記録する（ステップＳ１１６）。また、撮像装置２Ｂは、ステップＳ１０５にて第１メモリ部２５に記憶した操作指示情報（場所○○で撮影を行う特定位置撮影指示）と、ステップＳ１１４Ｂにて第１メモリ部２５に記憶したユーザ操作情報（撮像装置２Ｂを場所○○に移動する操作、及び撮影操作）とに基づいて、外部依頼による撮影であることを示す判定結果情報を生成する（ステップＳ１１７Ｂ）。そして、撮像装置２Ｂは、画像ファイルの生成及び記録（ステップＳ１１８Ｂ）を実行する。
【０１２４】
図１８は、図１７に示した特定位置撮影指示により、撮像装置２Ｂにて生成される画像ファイルＦ４Ｂの一例を示す図である。
具体的に、ステップＳ１１８Ｂにおいて、撮像装置２Ｂは、図１８に示すように、場所○○で撮影を行ったライブビュー画像Ｗ１０６に対応するライブビュー画像データに対して、外部依頼による撮影であることを示す判定結果情報ＩＤ１と、場所○○での撮影を示す位置情報ＩＰ２とを関連付けた画像ファイルＦ４Ｂを生成及び記録する。
【０１２５】
以上説明した実施の形態３によれば、上述した実施の形態１と同様の効果の他、以下の効果がある。
本実施の形態３に係る撮像装置２Ｂは、当該撮像装置２Ｂの位置に関する位置情報を取得する位置取得部２９を備える。そして、ユーザ操作認識部２８３Ｂは、位置取得部２９にて取得された位置情報に基づいて、撮像装置２Ｂを移動するユーザ操作を認識する。また、記録判定部２８４Ｂは、第１通信部２４が受信した操作指示情報、及びユーザ操作認識部２９３Ｂにて認識されたユーザ操作に関するユーザ操作情報に基づいて、記録予定画像データが外部からの操作指示に応じて記録されるものであるか否かを判定する。
このため、通信機器３から特定位置での撮影を指示する特定位置撮影指示を撮像装置２Ｂのユーザに行うことを可能とし、さらに、当該特定位置撮影指示に応じたユーザ操作が行われたか否かを画像データに関連付けて記録しておくことが可能となる。
したがって、このような特定位置撮影指示がされた場合であっても、画像データの記録に関する責任の所在を明確にすることができる。
【０１２６】
（その他の実施の形態）
ここまで、本発明を実施するための形態を説明してきたが、本発明は上述した実施の形態１〜３によってのみ限定されるべきものではない。
上述した実施の形態１〜３では、撮像装置２，２Ａ，２Ｂは、記録判定部２８４，２８４Ａ，２８４Ｂを備えていたが、これに限られず、記録判定部２８４，２８４Ａ，２８４Ｂを省略した構成としても構わない。すなわち、撮像装置２，２Ａ，２Ｂの動作として、ステップＳ１０９，Ｓ１１７，Ｓ３１１，Ｓ３２０，Ｓ１１７Ｂを省略しても構わない。この場合には、撮像制御部２８５，２８５Ａ，２８５Ｂは、画像ファイルを生成する際（ステップＳ１１０，Ｓ１１８，Ｓ３１２，Ｓ３２１，Ｓ１１０Ｂ，Ｓ１１８Ｂ）、記録予定画像データに対して、判定結果情報の代わりに、ステップＳ１０６，Ｓ３０７にて記憶させた操作指示情報、及びステップＳ１１４，Ｓ３１６，Ｓ１１４Ｂにて記憶させたユーザ操作情報のうち少なくともいずれか一方の情報を関連付けた画像ファイルを生成すればよい。
例えば、操作指示が自動撮影指示であった場合には、記録予定画像データに対して、操作指示情報のみを関連付けた画像ファイルを生成する。また、操作指示が撮影予約指示や特定位置撮影指示であった場合には、記録予定画像データに対して、操作指示情報及びユーザ操作情報の双方の情報を関連付けた画像ファイルを生成する。さらに、操作指示情報を受信していない場合には、記録予定画像データに対して、ユーザ操作情報のみを関連付けた画像ファイルを生成する。
以上のように構成した場合であっても、画像データの記録に関する責任の所在を明確にすることができる、という効果を奏する。
【０１２７】
つまり、撮影時に発生する著作権や、肖像権、撮影禁止区域における撮影等、この責任の所在を明確にすることは、上述した実施の形態１〜３のような撮像システム１，１Ａ，１Ｂを利用した遠隔カメラ撮影において、重要な考慮すべき課題である。このような事項をよく考えると、遠隔撮影者（通信機器３のユーザ）が、撮影禁止区域であることを知らずに撮影を行ったり、肖像権を無視して撮影を行って、撮像装置２，２Ａ，２Ｂのユーザ（保持者や所有者）に害が及ぶ可能性があるが、本発明では、このような状況に適切に対処することが可能である。また、撮像装置２，２Ａ，２Ｂのユーザが撮像装置２に対して行った外部撮影禁止や許諾等の操作に関する情報についても、画像データに関連付けて記録するようにしてもよい。また、複数の関係者による撮影には、様々な利害関係が生じやすいので、撮影に至る記録は、音声情報等も含めて、通信結果等を記録することが重要である。最終的に、どちらか、あるいは、両方が撮影の責任を負う必要があるため、撮像装置２，２Ａ，２Ｂのユーザ操作による撮影と、外部の通信機器３との通信による撮影が混在する撮影シーンで、撮像装置２，２Ａ，２Ｂのユーザと通信機器３のユーザ双方の責任引き受けと責任放棄の関係を示す情報を、撮像された画像データに関連付ける構成を採用してもよい。
【０１２８】
また、上述した実施の形態１〜３では、撮像装置２，２Ａ，２Ｂは、ステップＳ１１１，Ｓ３１３において、操作指示情報に対応する画像（例えば、メッセージＭ１，Ｍ２（図７（ｂ），図１７（ｂ））をライブビュー画像に重畳して表示していたが、これに限られない。例えば、スピーカ等を別途設け、当該スピーカから操作指示情報に応じた音声を報知するように構成しても構わない。
【０１２９】
さらに、上述した実施の形態１〜３では、静止画撮影により生成した画像データに対して判定結果情報等を関連付けて画像ファイルを生成する構成を説明したが、これに限られず、動画撮影により生成した画像データに対して判定結果情報等を関連付けて画像ファイルを生成しても構わない。
【０１３０】
また、処理フローは、上述した実施の形態１〜３で説明したフローチャートにおける処理の順序に限られず、矛盾のない範囲で変更しても構わない。
さらに、本明細書においてフローチャートを用いて説明した処理のアルゴリズムは、プログラムとして記述することが可能である。このようなプログラムは、コンピュータ内部の記録部に記録してもよいし、コンピュータ読み取り可能な記録媒体に記録してもよい。プログラムの記録部または記録媒体への記録は、コンピュータまたは記録媒体を製品として出荷する際に行ってもよいし、通信ネットワークを介したダウンロードにより行ってもよい。
【符号の説明】
【０１３１】
１，１Ａ，１Ｂ  撮像システム
２，２Ａ，２Ｂ  撮像装置
３  通信機器
４  本体部
５  レンズ部
２１  撮像部
２２，２２Ａ  第１表示部
２３，２３Ａ  第１入力部
２４，２４Ａ  第１通信部
２５  第１メモリ部
２６  第１記録部
２７  画像データ記録部
２８，２８Ａ，２８Ｂ  第１制御部
２９  位置取得部
３１  第２表示部
３２  第２入力部
３３  第２通信部
３４  第２メモリ部
３５  第２記録部
３６  第２制御部
４０  シャッタ
４１  シャッタ駆動部
４２  撮像素子
４３  撮像素子駆動部
４４  信号処理部
４５  Ａ／Ｄ変換部
４６  画像処理部
４７  ＡＥ処理部
４８  ＡＦ処理部
４９  画像圧縮展開部
５０  表示駆動部
５１  タッチパネル
５２  記録媒体
５３  メモリＩ／Ｆ
５４  ＳＤＲＡＭ
５５  Ｆｌａｓｈメモリ
５６  本体通信部
５７  バス
５８  光学系
５９  ズームレンズ駆動部
６０  ズームレンズ位置検出部
６１  フォーカスレンズ駆動部
６２  フォーカスレンズ位置検出部
６３  絞り
６４  絞り駆動部
６５  絞り値検出部
６６  レンズ操作部
６７  レンズ記録部
６８  レンズ通信部
６９  レンズ制御部
２３１  電源スイッチ
２３２  レリーズスイッチ
２３３  モード切替スイッチ
２３４  操作スイッチ
２３４ａ〜２３４ｄ  方向スイッチ
２３４ｅ  決定スイッチ
２３５  メニュースイッチ
２３６  再生スイッチ
２３７  動画スイッチ
２８１，２８１Ａ  第１通信制御部
２８２，２８２Ａ  第１表示制御部
２８３，２８３Ａ，２８３Ｂ  ユーザ操作認識部
２８４，２８４Ａ，２８４Ｂ  記録判定部
２８５，２８５Ａ，２８５Ｂ  撮像制御部
３６１  第２通信制御部
３６２  第２表示制御部
３６３  操作指示情報生成部
５８１  ズームレンズ
５８２  フォーカスレンズ
Ｆ１〜Ｆ３，Ｆ１Ａ〜Ｆ３Ａ，Ｆ１Ｂ〜Ｆ４Ｂ  画像ファイル
ＩＤ１，ＩＤ２  判定結果情報
ＩＰ１，ＩＰ２  位置情報
ＩＲ１〜ＩＲ３  履歴情報
Ｍ１，Ｍ２  メッセージ
Ｗ１００〜Ｗ１０６，Ｗ２００，Ｗ２０１，Ｗ２０２  画像
【図１】
0006053877.tif 000002
【図２】
0006053877.tif 000003
【図３】
0006053877.tif 000004
【図４】
0006053877.tif 000005
【図５】
0006053877.tif 000006
【図６】
0006053877.tif 000007
【図７】
0006053877.tif 000008
【図８】
0006053877.tif 000009
【図９】
0006053877.tif 000010
【図１０】
0006053877.tif 000011
【図１１】
0006053877.tif 000012
【図１２】
0006053877.tif 000013
【図１３Ａ】
0006053877.tif 000014
【図１３Ｂ】
0006053877.tif 000015
【図１３Ｃ】
0006053877.tif 000016
【図１４】
0006053877.tif 000017
【図１５】
0006053877.tif 000018
【図１６Ａ】
0006053877.tif 000019
【図１６Ｂ】
0006053877.tif 000020
【図１６Ｃ】
0006053877.tif 000021
【図１７】
0006053877.tif 000022
【図１８】
0006053877.tif 000023